(57)【要約】【課題】  報知音声の出力回数を設定できて、報知音声の聞き逃しを低減することができるプログラムタイマーを提供する。【解決手段】  報知音声制御手段２４２は、プログラム記憶手段２３４に記憶された各プログラムにしたがって、設定した曜日において現在時刻が設定時刻と一致した場合に、出力制御手段１３６を介して、設定したメロディ番号に対応する報知音声を設定した報知数繰り返して報知音声出力手段１３９から出力するとともに、「回路１」の制御出力手段１３７の出力を設定した出力時間だけオンさせる。【選択図】図１
2006208105.tif 000002
【特許請求の範囲】
【請求項１】
現在時刻を計時する時計手段と、報知音声信号を記憶する報知音声信号記憶手段と、報知音声信号に応じて報知音声を発生する報知音声出力手段と、報知音声を発生させるためのプログラムを設定するプログラム設定手段と、設定されたプログラムを記憶するプログラム記憶手段と、現在時刻がプログラム記憶手段に記憶しているプログラムの設定時刻と一致したときに報知音声信号記憶手段に記憶している報知音声信号を報知音声出力手段に出力して報知音声を発生させる報知音声制御手段とを備えたプログラムタイマーにおいて、報知音声信号を繰返して報知音声出力手段に出力する回数である報知数をプログラムに設定する報知数設定手段と、少なくとも設定された報知数を表示する表示手段とを備えて、報知音声制御手段は、現在時刻がプログラムの設定時刻と一致したときに報知音声信号を設定した報知数繰返して報知音声出力手段に出力することを特徴とするプログラムタイマー。
【請求項２】
前記報知音声信号記憶手段は複数の報知音声信号と各報知音声信号に対応した報知音声信号番号とを記憶して、いずれかの報知音声信号番号をプログラムに設定する報知音声信号番号設定手段を備え、前記表示手段は設定された報知数と報知音声信号番号とを表示し、前記報知音声制御手段は、現在時刻がプログラムの設定時刻と一致したときに、設定した報知音声信号番号に対応する報知音声信号を設定した報知数繰返して報知音声出力手段に出力することを特徴とする請求項１記載のプログラムタイマー。
【請求項３】
前記プログラム記憶手段は複数のプログラムを記憶し、前記報知音声制御手段は、現在時刻がいずれかのプログラムの設定時刻と一致して報知音声信号を設定した報知数繰返して報知音声出力手段に出力しているときに、現在時刻が他のプログラムの設定時刻と一致した場合に、報知音声信号を前記他のプログラムに設定した報知数繰返して報知音声出力手段に出力することを特徴とする請求項１または２記載のプログラムタイマー。
【発明の詳細な説明】
【技術分野】
【０００１】
本発明は、学校、塾、公共施設、事務所、工場などにおいて、希望する時刻にチャイム音、メロディー、アナウンス等の報知音声を鳴動させるプログラムタイマーに関するものである。
【背景技術】
【０００２】
従来、入切時刻やタイマー動作させる回路の番号及び条件や、時報としてのチャイム曲目を指定するマーク記入枠を少なくとも備えたカードを用い、カードリーダーから読み取ったマーク記入枠のマークから指定情報を取り込む手段と、取り込まれた指定情報からプログラムを作成する手段と、作成されたプログラムを記憶する記憶手段と、現在時刻を計時する手段と、現在時刻が記憶手段に記憶しているプログラムの設定時刻と一致したときに指定された番号のタイマー動作させる回路を制御する出力を発生する手段と、現在時刻を表示する現在時刻表示部とを備えたカード式プログラムタイマーが提供されていた。このカード式プログラムタイマーは、チャイム装置を内蔵し、カードのマーク記入枠に記されたマークから指定曲目を時報としてのチャイム曲目に設定し、指定の入時刻になったときにチャイム装置を起動して指定曲目のチャイム信号を出力していた。さらには、記憶手段に記憶させたプログラムを読み出して現在時刻表示部に指定したチャイム曲目を示す番号を含めたプログラム内容を表示させる手段も備えている。（例えば、特許文献１参照）
また、報知音の発生用プログラムや外部機器の制御用プログラムを設定する設定器を、タイマー本体に着脱自在に取り付けたプログラムタイマーもある。（例えば、特許文献２参照）
【特許文献１】特開平４−３２３５９３号公報
【特許文献２】特開平６−２８９１５８号公報
【発明の開示】
【発明が解決しようとする課題】
【０００３】
しかしながら、上記従来のプログラムタイマーは、指定の時刻になったときに指定の音声信号（曲目）を１回のみ出力するものであり、報知音声を聞き逃すことがあった。
【０００４】
また、設定された時刻に設定された音声信号を出力しているときに、現在時刻が他のプログラムの設定時刻になった場合の出力制御については開示されていない。
【０００５】
本発明は、上記事由に鑑みてなされたものであり、その目的は、報知音声の出力回数を設定できて、報知音声の聞き逃しを低減することができるプログラムタイマーを提供することにある。
【課題を解決するための手段】
【０００６】
請求項１の発明は、現在時刻を計時する時計手段と、報知音声信号を記憶する報知音声信号記憶手段と、報知音声信号に応じて報知音声を発生する報知音声出力手段と、報知音声を発生させるためのプログラムを設定するプログラム設定手段と、設定されたプログラムを記憶するプログラム記憶手段と、現在時刻がプログラム記憶手段に記憶しているプログラムの設定時刻と一致したときに報知音声信号記憶手段に記憶している報知音声信号を報知音声出力手段に出力して報知音声を発生させる報知音声制御手段とを備えたプログラムタイマーにおいて、報知音声信号を繰返して報知音声出力手段に出力する回数である報知数をプログラムに設定する報知数設定手段と、少なくとも設定された報知数を表示する表示手段とを備えて、報知音声制御手段は、現在時刻がプログラムの設定時刻と一致したときに報知音声信号を設定した報知数繰返して報知音声出力手段に出力することを特徴とする。
【０００７】
この発明によれば、時刻によって報知数を適宜設定することができ、所定の時刻にメロディ、チャイム音、アナウンス等の報知音声を所望の報知数繰り返して出力することができて、報知音声の聞き逃しを低減することができる。
【０００８】
請求項２の発明は、請求項１において、前記報知音声信号記憶手段は複数の報知音声信号と各報知音声信号に対応した報知音声信号番号とを記憶して、いずれかの報知音声信号番号をプログラムに設定する報知音声信号番号設定手段を備え、前記表示手段は設定された報知数と報知音声信号番号とを表示し、前記報知音声制御手段は、現在時刻がプログラムの設定時刻と一致したときに、設定した報知音声信号番号に対応する報知音声信号を設定した報知数繰返して報知音声出力手段に出力することを特徴とする。
【０００９】
この発明によれば、様々な時刻に合わせて、様々な報知音声を繰り返して出力することができる。
【００１０】
請求項３の発明は、請求項１または２において、前記プログラム記憶手段は複数のプログラムを記憶し、前記報知音声制御手段は、現在時刻がいずれかのプログラムの設定時刻と一致して報知音声信号を設定した報知数繰返して報知音声出力手段に出力しているときに、現在時刻が他のプログラムの設定時刻と一致した場合に、報知音声信号を前記他のプログラムに設定した報知数繰返して報知音声出力手段に出力することを特徴とする。
【００１１】
この発明によれば、いずれかのプログラムによる報知音声の出力中に他のプログラムの設定時刻になった場合、出力中の報知音声を停止して、設定時刻が後に設定された他のプログラムによる報知音声出力を優先させるので、各プログラムによる報知音声の混同がなく、報知音声出力の開始が遅れることがない。
【発明の効果】
【００１２】
以上説明したように、本発明では、時刻によって報知数を適宜設定することができ、所定の時刻にメロディ、チャイム音、アナウンス等の報知音声を所望の報知数繰り返して出力することができて、報知音声の聞き逃しを低減することができるという効果がある。
【発明を実施するための最良の形態】
【００１３】
以下、本発明の実施の形態を図面に基づいて説明する。
【００１４】
（実施形態）
本発明の実施形態のプログラムタイマーは、図１に示すように、プログラムタイマー本体１００と、設定器２００と、電波受信ユニット３００とから構成され、図２にプログラムタイマー本体１００と設定器２００の斜視図を示し、プログラムタイマー本体１００は壁面などに取り付けられ、設定器２００はプログラムタイマー本体１００に着脱自在に取り付けられる。そして、プログラムタイマー本体１００は、設定器２００で設定したプログラムや、外部に設けた人体検知センサーまたは呼出スイッチ等からの外部割込入力に応じて、報知音声の出力制御や外部機器の動作制御を行う。なお、図２は設定器２００をプログラムタイマー本体１００から外した状態である。
【００１５】
プログラムタイマー本体１００は、アナログ時計部１０１を前面上部に備え、その下方の右側にチャイム音などの報知音声を発生するスピーカを内蔵するスピーカ部１０２を設け、左側に設定器２００を収納する収納部１０３を形成している。また、外部機器を制御する制御出力を２回路（夫々「回路１」、「回路２」と呼ぶ）備えており、収納部１０３の下方のスイッチ１０４ａ，１０４ｂは、夫々の回路の制御出力を手動で切り換える制御出力手動操作スイッチであり、スイッチ１０４ｃは、アナログ時計部１０１を手動で調節するためのアナログ時計調整スイッチである。さらに、制御出力手動操作スイッチ１０４ａ，１０４ｂの上部には、それぞれのスイッチの操作による制御出力の状態を表示する発光ダイオード等からなる制御出力状態表示器１０５ａ，１０５ｂを設けている。
【００１６】
プログラムタイマー本体１００のハウジング１０６は合成樹脂製であり、壁面への取付時に壁面側に臨むボディ１０６ａと、アナログ時計部１０１が取り付けられた上カバー１０６ｂと、収納部１０３及びスピーカの音出孔１０７が形成された下カバー１０６ｃとで構成されている。また、上カバー１０６ｂはボディ１０６ａに対して開閉自在になっている。収納部１０３には、収納された設定器２００の前面を閉塞する開閉自在な設定器カバー１０８が取り付けられている。
【００１７】
設定器２００を収納する収納部１０３は、矩形状の収納凹部１０３ａが形成され、収納凹部１０３ａの開口縁の上下には設定器２００を着脱する場合に指が挿入される切欠き部１０３ｂ，１０３ｂを形成している。収納凹部１０３ａの底面中央には、プログラムタイマー本体１００を設定器２００に電気的に接続するためのコネクタ１０９を設け、コネクタ１０９の周りには矩形筒状のコネクタガイド１１０を突設して、設定器２００に設けられたコネクタ２０７（図４、図５参照）をコネクタ１０９に導くようにしている。コネクタ１０９の両側には、設定器２００を収納する場合に所定位置に案内するガイドボス１１２，１１２を突設している。また、コネクタ１０９の上下には、設定器２００を機械的に保持する係止片１１１，１１１を突設している。係止片１１１の先端は係止爪１１１ａが内向きに形成されて、係止爪１１１ａの先端面の外周は曲成または面取りされている。
【００１８】
次に、図３は標準電波機能付の設定器２００の正面図である。設定器２００は矩形箱状に形成され、前面の上部右寄りに液晶ディスプレイからなる表示部２０１を設け、その下部に各種設定用スイッチ２０２（２０２ａ〜２０２ｓ）、録音用ジャック２０３を配置し、左側部にはスライド式のモード切換スイッチ２０４を配置している。
【００１９】
図３における表示部２０１の表示は、モード切換スイッチ２０４が通常（時刻表示）モードにおける表示であり、時／分を表示する略中央の時刻表示部２０１ａとその上部に設けられた曜日表示部２０１ｂとを備え、さらには標準電波受信機能付のため後述する電波受信ユニット３００をプログラムタイマー本体１００に接続するので、受信ユニット接続状態表示部２０１ｃと電波強度表示部２０１ｄと受信完了表示部２０１ｅとを備えて、現在時刻（曜日、時、分、秒）、受信ユニット接続状態、電波強度、受信完了を表示している。また、この設定器２００の上下面には、設定器２００を収納部１０３から取り外す場合に切欠き部１０３ｂに露出して操作される取外し釦２０５を設けている。また、プログラムタイマー本体１００から取外された場合にも動作可能とするために、ニッケル・水素電池、リチウム電池、乾電池、太陽電池などを電源として備えている。
【００２０】
なお、標準電波機能なしの設定器２００の場合は、各種設定用スイッチ２０２に受信曜日確認、強制受信の設定はないが、サマータイム／解除の設定を備える。また、表示部２０１の表示は、受信ユニット接続状態表示部２０１ｃ、電波強度表示部２０１ｄ、受信完了表示部２０１ｅの表示がないものになる。
【００２１】
図４は、設定器２００の裏面を示す斜視図である。設定器２００の裏面略中央には矩形状の凹部に形成されたガイド受け２０６が形成され、ガイド受け２０６の底面にはコネクタ２０７を設け、ガイド受け２０６の上下には挿通孔２０８、２０８が穿設され、ガイド受け２０６の両側にはガイド孔２０９，２０９が穿設されている。また、電源スイッチ２１０、設定器スピーカー部２１１も配置され、一方の側面には外部電池接続用コネクタ２１２が配置されている。また、設定器２００のハウジング２２０の前面と裏面は、裏面から螺挿したねじ２１３によって４箇所で固定される。
【００２２】
次に、設定器２００をプログラムタイマー本体１００に取り付ける構造について説明する。図５は、設定器２００をプログラムタイマー本体１００に取り付けた状態の要部の断面図であり、図６は、設定器２００をプログラムタイマー本体１００に取り付けた状態での保持構造を示す部分破断図である。
【００２３】
取外し釦２０５は、設定器２００の上下面を手で摘んだときに押圧されるつまみ部２０５ａと、このつまみ部２０５ａから夫々ハウジング２２０内に突設された平板状の操作片２０５ｂとからなり、つまみ部２０５ａがハウジング２２０の上下面に穿設した開口２１４を挿通して取り付けられる。操作片２０５ｂは、ハウジング２２０内部に上下方向に延設されたガイド部２１５によって上下方向でスライド自在に保持され、その略中央には開口面が略Ｄ字状の係止孔２０５ｃを形成してあるとともに、両側部には抜止め片２０５ｄを形成してある。そして、取外し釦２０５は、図示しないばねにより、夫々上下面から外側に突出する方向に付勢されて、抜止め片２０５ｄの端部が開口２１４の開口縁にハウジング２２０内から当接することで抜け止めが施されている。
【００２４】
そして、設定器２００の裏面には、取外し釦２０５の係止孔２０５ｃに対向して挿通孔２０８を形成しており、設定器２００を収納部１０３に収納したときに、係止片１１１は挿通孔２０８を介して取外し釦２０５の係止孔２０５ｃ内に挿入される。ここで、係止片１１１の挿入時には、この係止片１１１先端の係止爪１１１ａが、係止孔２０５ｃの開口縁に当接するように、係止孔２０５ｃと係止片１１１との位置を部分的にずらせてある。そして、係止片１１１が係止孔２０５ｃの開口縁に当接した状態で、さらに設定器２００を収納部１０３内に押し込むと、係止爪１１１ａの先端面を曲成しているので、その先端面に沿って取外し釦２０５がばねに抗して内側に移動し、これにより係止片１１１は挿通孔２０８内にさらに挿入される。このとき、ばねで取外し釦２０５が外側に付勢されるので、係止片１１１の係止爪１１１ａが係止孔２０５ｃの開口縁に係止する状態になり、設定器２００は抜け止め状態で収納部１０３内に収納され、設定器２００のコネクタ２０７はプログラムタイマー本体１００のコネクタ１０９に嵌合して電気的に接続される。
【００２５】
設定器２００を収納部１０３から外す場合には、切欠き部１０３ｂ内に指を挿入して、両取外し釦２０５，２０５を内側に押し込むことにより、係止孔２０５ｃの位置を移動させて係止爪１１１ａと係止孔２０５ｃの開口縁との係止状態を解除して、挿通孔２０８を係止片１１１が挿通できる状態とし、設定器２００を前方に引き外せばよい。なお、挿通孔２０８の開口縁部は薄肉とし、係止片１１１との係脱が良好に行えるようにしてある。
【００２６】
また、収納部１０３の夫々のガイドボス１１２，１１２は、収納凹部１０３ａの上下方向における中心線上に形成してあり、これらガイドボス１１２に対応して設定器２００の裏面に形成されたガイド孔２０９（図４参照）も、設定器２００の上下の中心線上に形成してあり、ガイドボス１１２がガイド孔２０９に導かれて設定器２００は収納部１０３の所定位置に収納される。
【００２７】
さらに、コネクタガイド１１０の上下方向の幅は、収納凹部１０３ａの上下方向における中心線に対して上側の幅と下側の幅とを異なる寸法に形成してある。このようにすれば、設定器２００が上下逆に収納部１０３に収納されることがない。なお、コネクタガイド１１０に対応して、設定器２００の裏面に凹設されたガイド受け２０６は、設定器２００を正規の状態（上下が正しい状態）で収納部１０３に収納するときは、コネクタガイド１１０がガイド受け２０６に確実に嵌まるように形成してあることは言うまでもない。
【００２８】
また、プログラムタイマー本体１００のコネクタ１０９は、図５に示すようにハウジング１０６内部に設けられたプリント基板１１３に対して垂直に連結された子基板１１４に取り付けられている。
【００２９】
次に、プログラムタイマーの概略構成について図１を用いて説明する。図１に示すプログラムタイマーは、プログラムタイマー本体１００と、設定器２００と、標準電波受信機能のための電波受信ユニット３００とで構成され、プログラムタイマー本体１００と設定器２００とは、コネクタ１４５，２５３を介して電気的に接続され、プログラムタイマー本体１００と電波受信ユニット３００とは端子台１４６，３０５間を接続した配線で電気的に接続される。
【００３０】
プログラムタイマー本体１００は、制御出力手動操作スイッチ１０４ａ，１０４ｂ等の手動スイッチの操作を判定するスイッチ操作判定手段１３０と、外部に設けた人体検知センサーまたは呼出スイッチ等からの外部割込入力の有無を判定する外部割込入力判定手段１３１と、制御出力手動操作スイッチ１０４ａ，１０４ｂ等の手動スイッチの操作または上記外部割込入力の判定に応じた出力状態を選択するとともに選択した出力状態を表示する出力選択・表示手段１３２と、スイッチ操作判定手段１３０、外部割込入力判定手段１３１、設定器２００からの各出力に基づいて行なう内蔵スピーカー（スピーカ部１０２）、外部スピーカー、照明等の動作制御の判定や、スピーカから出力させるメロディ、チャイム音、アナウンス等の報知音声の選択等の判定を行う出力判定手段１３３と、出力判定手段１３３の判定結果を記憶する出力状態判定記憶手段１３４と、現在時刻を計時する時計手段１３５と、この出力判定手段１３３の判定結果及び時計手段１３５の計時出力に基づいて「回路１」の制御出力手段１３７、「回路２」の制御出力手段１３８、報知音声出力手段１３９、アナログ時計出力手段１４０（時計手段１３５とでアナログ時計部１０１を構成する）を制御する出力制御手段１３６とを基本構成として備えている。
【００３１】
また、プログラムタイマー本体１００の本体電源形成手段１４７は、交流電源入力手段１４３からの商用電源を入力としてプログラムタイマー本体１００の各手段に電源を供給するとともに設定器２００の設定器電源形成手段２４８、電波受信ユニット３００の受信ユニット電源形成手段３０４にも電源を供給する。
【００３２】
また、手動スイッチ操作表示手段１４１は、発光ダイオード等からなる制御出力状態表示器１０５ａ，１０５ｂを構成する。
【００３３】
さらに、電波受信ユニット３００からの信号を受けて時計手段１３５での時刻の生成を行うとともに電波の状態を判断する時刻生成・電波受信判定手段１４２を備えている。
【００３４】
設定器２００は、報知数設定手段２３１、報知音声信号番号設定手段２３２、再生・録音・編集操作手段２３３を含みモード切換スイッチ２０４及び各種設定スイッチ２０２を用いて時計設定、プログラム設定・呼出、報知音声信号の再生・録音・編集を行なうプログラム設定手段２３０ａと、電波受信・確認操作手段２５２を含み標準電波受信時の電波受信処理を行なうプログラム設定手段２３０ｂと（以下、プログラム設定手段２３０ａ，２３０ｂを併せてプログラム設定手段２３０と称す）、プログラム設定手段２３０ａで設定されたプログラムを記憶するプログラム記憶手段２３４と、報知数表示手段２３６、報知音声信号番号表示手段２３７を含む表示手段２３５と、プログラム設定手段２３０ａの設定状態及びプログラム記憶手段２３４の記憶内容を表示手段２３５に表示するための表示制御手段２３８と、各種設定スイッチで構成されて時間に関する各種設定を行なう時計設定手段２３９と、時刻を計時する時計手段２４０と、複数の報知音声信号と各報知音声信号に対応した報知音声信号番号とを記憶する報知音声信号記憶手段２４１と、報知音声制御手段２４２を通して報知音声信号記憶手段２４１に報知音声信号を入力する報知音声入力手段２４３と、報知音声制御手段２４２を通して報知音声信号記憶手段２４１から呼び出した報知音声信号を報知音声に変換して出力する報知音声確認手段２４４（設定器スピーカー部２１１）と、プログラム記憶手段２３４のプログラムと時計手段２４０で発生する時刻とに基づいて所定の動作制御、報知音声信号（メロディ、チャイム音、アナウンス等）の選択判断をするプログラム判断手段２４５と、プログラム判断手段２４５の判断結果及びプログラムタイマー本体１００の出力判定手段１３３の判定結果による制御や、モード切換スイッチ２０４の操作に応じて報知音声信号記憶手段２４１に記憶している報知音声信号の再生処理や、外部の報知音声アナログ信号をデジタル信号に変換して報知音声信号記憶手段２４１に記憶させる録音処理や、報知音声信号記憶手段２４１に記憶している報知音声信号の編集処理を制御する報知音声制御手段２４２と、電波受信ユニット３００の受信状況をプログラムタイマー本体１００を介して受け取る電波受信制御手段２４６と、電波受信制御手段２４６で得た電波状況を記憶する電波受信記憶手段２４７と、設定器２００の各手段に電源を供給する設定器電源形成手段２４８とを基本的な機能構成として備えている。
【００３５】
電波受信ユニット３００は、標準電波を受信する電波受信手段３０１と、標準電波から時刻信号を得る時刻信号判定手段３０２と、電波の受信状態、受信信頼度を表示する受信状態表示手段３０３と、電波受信ユニット３００の各手段に電源を供給する受信ユニット電源形成手段３０４とを備えている。
【００３６】
さらに、プログラムタイマー本体１００の時計手段１３５と設定器２００の時計手段２４０との動作を同期させるために、プログラムタイマー本体１００は時計手段１３５の信号を基に同期信号を出力する同期出力発生手段１４４を備えて、設定器２００は同期出力発生手段１４４からの同期信号を判定する同期入力判定手段２４９と、時計手段２４０の信号を基に同期スタート信号を出力する同期スタート信号発生手段２５０と、設定器２００がプログラムタイマー本体１００に取り付けられたときにコネクタが接続されたことを判定するコネクタ接続判定手段２５１とを備えている。
【００３７】
以下、プログラムタイマー本体１００と設定器２００との各時計手段の同期動作について詳述する。まず、設定器２００がプログラムタイマー本体１００に接続されると、設定器２００ではコネクタ接続判定手段２５１の判定出力からプログラムタイマー本体１００に接続されたことを判断する。その後、時計手段２４０による計時結果で３０秒が経過した時点で、同期スタート信号発生手段２５０からプログラムタイマー本体１００の同期出力発生手段１４４に対して同期スタート信号を送る。同期スタート信号を受けた同期出力発生手段１４４では、内蔵カウンタのカウント値を０にクリアし、その後は所定時間毎（例えば１分毎）に同期信号を設定器２００に対して送る。設定器２００ではこの同期信号に応じて時計手段２４０の計時時刻を所定時間毎（例えば１分毎）に修正する。以後、設定器２００がプログラムタイマー本体１００に対して接続されている間は上記修正動作が継続される。
【００３８】
そして、設定器２００では、制御出力手段１３７，１３８から外部機器への制御出力のオン動作の時刻をプログラムで設定するのであるが、制御出力手段１３７，１３８から外部機器への制御出力のオン動作のタイミングを、アナログ時計手段の計時時刻がプログラムでの設定時刻になったときに正確に一致させるためには、制御出力手段１３７，１３８から実際に制御信号が出力される時点より少し前に、設定器２００のプログラム判断手段２４５からの出力をプログラムタイマー本体１００に与える必要がある。そこで、プログラム判断手段２４５の出力をプログラムタイマー本体１００に与えるのに要する時間ΔＴは次のように設定される。
ΔＴ＞ｔ１＋ｔ２＋ｔ３
（ｔ１：プログラムタイマー本体１００で同期入力を検知するのに要する時間，  ｔ２：設定器２００で同期入力を受け付けてから実際に出力を行うまでの処理時間，  ｔ３：プログラムタイマー本体１００で同期入力を検知してから設定器２００で実際に出力を行うまでに発生する設定器２００の時計手段２４０とプログラムタイマー本体１００の計時手段１３５との各計時時刻の互いのずれ）
なお、プログラムタイマー本体１００及び設定器２００は、水晶発振回路（例えば図１８における水晶発振回路１５５）から与えられるサブクロックを同期入力としている。
【００３９】
いま、例えばプログラムタイマー本体１００及び設定器２００が３０ｍｓ毎に与えられる同期入力を２度受け付けたときに同期入力を検知するとすれば、同期入力を検知するのに要する時間ｔ１は、３０ｍｓ≦ｔ１≦６０ｍｓとなる。また、設定器２００のプログラム判断手段２４５の内部処理時間をα（≦１０ｍｓ）とすると、設定器２００で同期入力を受け付けてから実際に出力を行うまでの処理時間ｔ２は、３０ｍｓ＋α≦ｔ２≦６０ｍｓ＋αとなる。さらに、毎正分（秒針が１２を指すとき）から３０秒を経過した時点で、１分毎に上述した時刻修正を行うとすれば、設定器２００の時計手段２４０とプログラムタイマー本体１００の時計手段１３５との計時時刻ずれｔ３は、−５ｍｓ≦ｔ３≦５ｍｓとなる。ここで、５ｍｓは、プログラムタイマー本体１００の水晶発振回路を構成する水晶振動子の発振誤差の最大値である。
【００４０】
以上から、ΔＴ＞１２５ｍｓとなる。よって本実施形態では、制御出力手段１３７，１３８から外部機器への制御出力をオンさせるプログラムの設定時刻に対して、設定時刻の５００ｍｓ前に設定器２００のプログラム判断手段２４５からプログラムタイマー本体１００に出力を与えるようにしている。
【００４１】
次にプログラムタイマーの各種設定について説明する。設定器２００は、図３に示すように、表示部２０１における表示状態の切換や、報知音声信号記憶手段２４１に記憶した報知音声信号の発生プログラムを含む制御プログラムの設定や、その制御プログラムに基づいたプログラムの実行や、録音・再生・編集等のモードの切換を行うモード切替スイッチ２０４を備えている。
【００４２】
また、本実施形態のプログラムタイマーでは、外部機器を異なるプログラムで各々動作制御する２つの制御出力手段１３７，１３８を備えており、設定器２００では、それぞれの制御出力手段１３７，１３８の出力制御を行う制御プログラムの設定、確認、変更を行えるようにしている。また、以下の説明ではそれぞれの制御出力手段１３７，１３８による制御可能な２つの回路をそれぞれ「回路１」，「回路２」と呼ぶ。
【００４３】
モード切替スイッチ２０４は、表示器の左側方に設けられ、上下方向にスライド操作されるスライドスイッチ２０４ａを用いて構成され、スライドスイッチ２０４ａのスライド位置によって各種モードを選択している。このモード切換スイッチ２０４では、（１）時刻表示部２０１ａで時刻表示（曜日、時、分等を表示）を行わせる通常（時刻表示）モードと、（２）年月日または時分秒を表示させるとともに年月日または時分秒を設定・変更させる時計調整モードと、（３）「回路１」の週間プログラムを設定するために必要な表示とスイッチの操作を受け付ける「回路１」週間プログラム設定モードと、（４）「回路１」の週間プログラムの設定内容の確認・変更あるいは設定内容の取消を行うために必要な表示とスイッチの操作を受け付ける「回路１」週間プログラム呼出モードと、（５）「回路１」の休日プログラムを設定するために必要な表示とスイッチの操作を受け付ける「回路１」休日プログラム設定モードと、（６）「回路１」の休日プログラムの設定内容の確認・変更あるいは設定内容の取消を行うために必要な表示とスイッチの操作を受け付ける「回路１」休日プログラム呼出モードと、（７）「回路２」の週間プログラムを設定するために必要な表示とスイッチの操作を受け付ける「回路２」週間プログラム設定モードと、（８）「回路２」の週間プログラムの設定内容の確認・変更あるいは設定内容の取消を行うために必要な表示とスイッチの操作を受け付ける「回路２」週間プログラム呼出モードと、（９）「回路２」の休日プログラムを設定するために必要な表示とスイッチの操作を受け付ける「回路２」休日プログラム設定モードと、（１０）「回路２」の休日プログラムの設定内容の確認・変更あるいは設定内容の取消を行うために必要な表示とスイッチの操作を受け付ける「回路２」休日プログラム呼出モードと、（１１）デジタル信号で記憶した報知音声信号（チャイム音、メロディ、アナウンス）の再生、アナログ信号の報知音声信号をデジタル信号に変換して記憶する録音、デジタル信号で記憶した報知音声信号の編集、報知音声信号記憶手段２４１に記憶した複数の報知音声信号間の出力レベルの調整を行うために必要な表示とスイッチの操作を受け付ける再生・録音・編集モードとのモード切換を行う。
【００４４】
また、各種設定用スイッチ２０２は、上記（２）時計調整モードにおいて、年／時を設定・変更するための年／時設定スイッチと、月／分を設定・変更するための月／分設定スイッチと、日／秒を設定・変更するための日／秒設定スイッチと、年・月・日または時・分・秒を設定する設定スイッチとがスイッチ２０２ｎ〜２０２ｐ，２０２ｓに各々割り当てられている。
【００４５】
また、上記（３）「回路１」週間プログラム設定モード、（４）「回路１」週間プログラム呼出モード、（５）「回路１」休日プログラム設定モード、（６）「回路１」休日プログラム呼出モード、（７）「回路２」週間プログラム設定モード、（８）「回路２」週間プログラム呼出モード、（９）「回路２」休日プログラム設定モード、（１０）「回路２」休日プログラム呼出モードの各プログラムの設定時に、曜日設定を行う曜日設定スイッチがスイッチ２０２ａ〜２０２ｇに各々割り付けられ、これら曜日設定スイッチに並設して設けられて１回だけ休日プログラムを実行する場合に操作される一回実行スイッチがスイッチ２０２ｈに割り付けられ、設定されたプログラムを選択的に呼び出して表示部に表示させるための呼出スイッチがスイッチ２０２ｍに割り付けられ、報知音声信号番号（以下メロディ番号と称す）を設定するメロディ設定スイッチがスイッチ２０２ｑに割り付けられ、報知音声信号を繰返し報知する報知数を設定する報知数設定スイッチがスイッチ２０２ｒに割り付けられ、設定したプログラムを記憶させる場合に操作される設定スイッチがスイッチ２０２ｓに割り付けられ、設定したプログラムを消去する場合に操作される取消スイッチがスイッチ２０２ｉに割り付けられる。さらに、上記（２）時計調整モードと同様に、年／時設定スイッチ、月／分設定スイッチがスイッチ２０２ｎ，２０２ｏに各々割り付けられ、時計調整モードにおける日／秒設定スイッチ（スイッチ２０２ｐ）が、制御出力手段１３７，１３８を介して外部機器を動作させる時間を設定する出力時間設定スイッチとして割り付けられる。
【００４６】
また、モード切替スイッチ２０４の位置に関係なく、制御出力手段１３７，１３８を介して１０秒前から外部機器を動作させる場合に操作される１０秒前起動スイッチがスイッチ２０２ｋ，２０２ｌに各々割り付けられる。
【００４７】
さらに、本実施形態のプログラムタイマーは、モード切替スイッチ２０４の上記（１１）再生・録音・編集モードでは、再生モード設定スイッチがスイッチ２０２ａ（日曜日の曜日設定スイッチ）に割り付けられ、録音モード設定スイッチがスイッチ２０２ｂ（月曜日の曜日設定スイッチ）に割り付けられ、編集モード設定スイッチがスイッチ２０２ｃ（火曜日の曜日設定スイッチ）に割り付けられ、開始または一時停止スイッチがスイッチ２０２ｄ（水曜日の曜日設定スイッチ）に割り付けられ、停止スイッチがスイッチ２０２ｅ（木曜日の曜日設定スイッチ）に割り付けられ、残時間表示スイッチがスイッチ２０２ｆ（金曜日の曜日設定スイッチ）に割り付けられ、前消スイッチがスイッチ２０２ｇ（土曜日の曜日設定スイッチ）に割り付けられ、後消スイッチがスイッチ２０２ｈ（１回実行設定スイッチ）に割り付けられ、全消スイッチがスイッチ２０２ｉ（取消スイッチ）に割り付けられ、秒送りスイッチがスイッチ２０２ｎ（年／時設定スイッチ）に割り付けられる。また、設定器２００をプログラムタイマー本体１００に取り付けた状態ではレベル合わせスイッチがスイッチ２０２ｒ（報知数設定スイッチ）に割り付けられる。
【００４８】
さらにまた、本実施形態のプログラムタイマーには、標準電波受信機能付の場合と標準電波受信機能なしの場合とがあり、標準電波受信機能付の場合は、設定器２００をプログラムタイマー本体１００に取り付けた状態において、上記（１）通常（時刻表示）モードで、受信曜日確認スイッチがスイッチ２０２ａに割り付けられ、強制受信設定スイッチがスイッチ２０２ｂに割り付けられる。標準電波受信機能なしの場合は、サマータイム／解除設定スイッチがスイッチ２０２ｓに割り付けられる。
【００４９】
スイッチ２０２ｍ〜スイッチ２０２ｒは、上下方向でシーソ動作が自在な押しボタンとこの押しボタンの操作でオン・オフされる２個のスイッチとで構成されて、プログラム設定手段２３０内では押しボタンの上側を押すと１ずつ加算され、逆に下側を押すと１ずつ減算されて、押しボタンを押し続けると連続的に加算あるいは減算され、その加算値、減算値に応じた処理を行なう。また、スイッチ２０２ａ〜２０２ｉは、押しボタンとスイッチとから構成される周知のプッシュスイッチである。これらのスイッチは、プリント基板に実装されている。
【００５０】
図３は、標準電波受信機能付のプログラムタイマーの場合で、設定器２００をプログラムタイマー本体１００に取り付けた状態において、上記（１）通常（時刻表示）モードでの表示部２０１の状態を示している。この（１）通常（時刻表示）モードでは、表示部２０１には、時刻表示部２０１ａ、曜日表示部２０１ｂに表示される現在時刻（時刻、曜日）の他に、電波受信ユニット３００が正しく接続されてプログラムタイマー本体１００から正常に電源が供給され、且つ電波受信ユニット３００から正常に信号が送出されているときに受信ユニット接続状態表示部２０１ｃが点灯し、電波受信ユニット３００からの電界強度と電波信頼度のデータを基に電波状態を４段階に判定して表示する電波強度表示部２０１ｄが点灯し、強制受信操作または自動受信動作時に電波受信ユニット３００で受信した標準電波から時刻信号が得られた場合に受信完了表示部２０１ｅが点灯し、強制受信操作または自動受信動作時に標準電波から時刻信号が得られなかった場合には消灯する。また、この（１）通常（時刻表示）モードでは、強制受信設定スイッチ２０２ｂを押すと、受信完了表示部２０１ｅが点滅する。さらに、電波受信ユニット３００が正しく接続されていない場合、または電波受信ユニット３００から正常に信号が送出されていない場合は、受信ユニット接続状態表示部２０１ｃが点滅する。
【００５１】
図７は、標準電波受信機能付の場合の受信曜日確認中の表示部２０１を示す図である。設定器２００をプログラムタイマー本体１００に取り付けた状態において、（１）通常（時刻表示）モードで受信曜日確認スイッチ２０２ａを押すと、受信曜日確認中表示部２０１ｆと当日より一週間前までの標準電波から時刻信号が得られた曜日（曜日表示部２０１ｂ）を点滅して表示する。この曜日の点滅表示は、受信曜日確認スイッチ２０２ａを押してから所定時間（例えば３０秒間）のみ行い、この所定の時間を過ぎると現在の曜日の表示に戻る。また、この曜日を点滅して表示しているときに受信曜日確認スイッチ２０２ａを押すと、点滅している曜日が消灯して現在時刻の現在の曜日が点灯する。
【００５２】
図８（ａ）（ｂ）は、上記（２）時計調整モード時の表示部２０１を示す図である。設定器２００をプログラムタイマー本体１００に取り付けた状態または設定器２００をプログラムタイマー本体１００から外した状態において、モード切換スイッチ２０４を時計調整モードの位置にすると、年、月、日と時、分、秒の設定ができる。以下、２００４年７月７日１４時５６分００秒に設定する場合について説明する。
【００５３】
まず、モード切換スイッチ２０４を時計調整モードの位置にすると、図８（ａ）において「‘」、「年」、「月」、「日」の表示が点滅して、年・月・日の設定状態になり、年／時設定スイッチ２０２ｎで０４年、月／分設定スイッチ２０２ｏで７月、日／秒設定スイッチ２０２ｐで７日を設定する。年・月・日の設定を終了して設定スイッチ２０２ｓを押すと、図８（ｂ）の時・分・秒の設定状態に移り、「時」、「分」、「秒」の表示が点滅して、年／時設定スイッチ２０２ｎで１４時、月／分設定スイッチ２０２ｏで５６分、日／秒設定スイッチ２０２ｐで００秒を設定する。日／秒設定スイッチ２０２ｐは、押している間は００秒で停止し、離された時点から自動的に１秒、２秒、・・・と時計のカウントを開始する。（２）時計調整モードでは設定スイッチ２０２ｓを押すごとに、年・月・日の設定状態（図８（ａ））と時・分・秒の設定状態（図８（ｂ））とが交互に切り替わる。
【００５４】
図９（ａ）〜（ｃ）は、上記（３）「回路１」週間プログラム設定モード時の表示部２０１を示す図である。設定器２００をプログラムタイマー本体１００に取り付けた状態または設定器２００をプログラムタイマー本体１００から外した状態において、モード切換スイッチ２０４を「回路１」週間プログラム設定モード位置にすると、制御出力手段１３７の出力を制御する週間プログラムの設定ができる。月曜日、火曜日、水曜日、木曜日、金曜日の各８時３０分に「回路１」を１分間「入」にするとともに、メロディ番号１の報知音声信号のメロディを３回報知する週間プログラムを設定する場合について以下説明する。
【００５５】
まず、モード切換スイッチ２０４を「回路１」の週間プログラム設定モード位置にすると、図９（ａ）に示すように週間プログラムの曜日表示部２０１ｂ（日〜土）が点灯し、週間プログラムの設定時刻の時・分表示部２０１ｇと出力時間表示部２０１ｈとメロディ番号表示部２０１ｉの各表示「−」が１Ｈｚで点滅し、プログラム番号表示部２０１ｊは未入力の最も小さい番号の週間プログラム番号を表示した週間プログラム設定初期表示となる。
【００５６】
そして、図９（ｂ）に示すように、年／時設定スイッチ２０２ｎで８時を設定し、月／分設定スイッチ２０２ｏで３０分を設定し、日曜日の曜日設定スイッチ２０２ａと土曜日の曜日設定スイッチ２０２ｇとで設定曜日の日と土の曜日を消灯して設定曜日の月、火、水、木、金の曜日（曜日表示部２０１ｂ）を点灯させる。それぞれの曜日設定スイッチ２０２ａ〜２０２ｇの１押し毎に点灯（選択）と消灯（非選択）を繰り返す。次に、出力時間設定スイッチ２０２ｐで出力時間表示部２０１ｈを１分、メロディ番号設定スイッチ２０２ｑでメロディ番号表示部２０１ｉを１番に設定する。プログラムの設定時刻の時・分表示部２０１ｇと出力時間表示部２０１ｈとメロディ番号表示部２０１ｉの点滅は、各設定を入力するとそれぞれ点灯に変わる。メロディ番号を設定すると報知数表示部２０１ｋが点灯して、報知数の初期設定の１を表示し、報知数設定スイッチ２０２ｒで報知数３を設定する。本実施形態では、報知数の最大数を９としており、報知数は、設定時間や選択した報知音声に応じて設定すればよく、報知音声を聞き逃すことのないようにすればよい。そして、設定スイッチ２０２ｓを押すと、設定した週間プログラムの内容をプログラム記憶手段２３４に書き込み、次の週間プログラム設定初期表示（図９（ａ））となる。
【００５７】
また、このプログラム設定初期表示から曜日設定スイッチ２０２ａ〜２０２ｇ、年／時設定スイッチ２０２ｎ、月／分設定スイッチ２０２ｏ、出力時間設定スイッチ２０２ｐ、メロディ番号設定スイッチ２０２ｑ、または報知数設定スイッチ２０２ｒ等の有効スイッチのいずれかを押すと、一つ前の週間プログラムの内容を表示する。
【００５８】
また、上記週間プログラムの設定を続けて週間プログラムの最大設定可能数に達した場合、新たな週間プログラムの内容を設定して設定スイッチ２０２ｓを押すと、図９（ｃ）に示すようにプログラム番号表示部２０１ｊに「Ｆｕｌｌ」を表示する。
【００５９】
そして、報知音声制御手段２４２は、プログラム記憶手段２３４に記憶された各プログラムにしたがって、設定した曜日において現在時刻が設定時刻と一致した場合に、設定したメロディ番号に対応する報知音声信号を報知音声信号記憶手段２４１から呼び出し、この報知音声信号を設定した報知数繰り返して出力制御手段１３６に出力する。そして、出力制御手段１３６は、この報知音声信号に応じた報知音声を報知数繰り返して報知音声出力手段１３９から出力するとともに、「回路１」の制御出力手段１３７の出力を設定した出力時間だけオンさせる。
【００６０】
また、プログラム記憶手段２３４に記憶されている複数のプログラムの各設定時刻が互いに近い時間に設定されて、あるプログラムによる報知音声出力、または制御出力手段の出力オン期間が終了しないうちに、次のプログラムによる報知音声の出力開始時間、または制御出力手段の出力オン開始時間になった場合は、前のプログラムによる報知音声出力、制御出力手段の出力を次のプログラムの設定時刻で停止させて、次のプログラムによる報知音声の出力、制御出力手段出力を設定時刻通りに開始する。
【００６１】
なお、上記（７）「回路２」週間プログラム設定モードにおいても、上記（３）「回路１」週間プログラム設定モードと同様に設定できる。
【００６２】
次に上記（８）「回路２」週間プログラム呼出モードについて説明する。設定器２００をプログラムタイマー本体１００に取り付けた状態または設定器２００をプログラムタイマー本体１００から外した状態において、モード切換スイッチ２０４を「回路２」週間プログラム呼出モードの位置にすると、設定した週間プログラムの呼出、変更、取消ができる。以下、プログラム番号１５で設定された「回路２」の週間プログラムの内容を呼出、変更、または、取消する場合について以下説明する。
【００６３】
まず、モード切換スイッチ２０４を「回路２」週間プログラム呼出モードの位置にすると、設定された週間プログラムのプログラム番号のうち最も小さい週間プログラムのプログラム番号とプログラム内容を表示する。「回路２」週間プログラムが設定されていない場合は、図１０に示すようにプログラム番号表示部２０１ｊに「Ｅｎｄ」を表示する。次に、呼出スイッチ２０２ｍを押して、プログラム番号１５の週間プログラム内容を表示させる。呼出スイッチ２０２ｍを１押しする毎に、設定されている次の週間プログラムのプログラム番号とプログラム内容を表示し、途中に空いているプログラム番号がある場合はそのプログラム番号を飛ばして次のプログラム番号とプログラム内容を表示して、最も大きいプログラム番号とプログラム内容を表示すると、次に「Ｅｎｄ」を表示する。
【００６４】
そして、プログラム番号１５を呼び出して、上記週間プログラム設定モードと同様に年／時設定スイッチ２０２ｎ、月／分設定スイッチ２０２ｏ、出力時間設定スイッチ２０２ｐ、メロディ番号設定スイッチ２０２ｑ、曜日設定スイッチ２０２ａ〜２０２ｇの各スイッチを操作して週間プログラム内容を変更した後に設定スイッチ２０２ｓを押す。プログラム番号１５の週間プログラムを取り消す場合は、プログラム番号１５のプログラム番号とプログラム内容を表示しているとき、取消スイッチ２０２ｉを押すことにより、プログラム番号の１５を表示したままで、プログラム番号１５の週間プログラムの内容が取り消されて、プログラム番号１５における週間プログラム入力初期表示となる（図９（ａ）のプログラム番号を「１５」に変更した表示）。
【００６５】
プログラム番号１５における週間プログラム入力初期表示において、設定スイッチ２０２ｓまたは呼出スイッチ２０２ｍを押すと、プログラム記憶手段２３４にプログラム番号１５の週間プログラムが取り消しされたことを書き込み、次の設定された週間プログラムのプログラム番号とプログラム内容を表示する。
【００６６】
また、モード切換スイッチ２０４を他の位置に移動すると、モード切換スイッチ２０４の位置に応じて、時刻、プログラム、報知音声信号内容等を表示する。
【００６７】
なお、上記（４）「回路１」週間プログラム呼出モードにおいても、上記（８）「回路２」週間プログラム呼出モードと同様に設定できる。
【００６８】
図１１（ａ）〜（ｃ）は、上記（５）「回路１」休日プログラム設定モード時の表示部２０１を示す図である。設定器２００を本体１００に取り付けた状態または設定器２００を本体１００から外した状態において、モード切換スイッチ２０４を「回路１」休日プログラム設定モードの位置にすると、休日プログラムが設定できる。以下、５月５日を休日として、週間プログラムによる「回路１」の出力及び報知音声出力をしない休日プログラムを設定する場合について説明する。
【００６９】
まず、モード切換スイッチ２０４を「回路１」の休日プログラム設定モードの位置にすると、図１１（ａ）に示すように、休日プログラム設定初期表示となって、月日が点灯して−−月−−日の表示となる。そして、休日プログラム設定初期表示で、月／分設定スイッチ２０２ｏ、日／秒設定スイッチ２０２ｐ、または１回実行スイッチ２０２ｈ等のうちいずれかの有効スイッチを押すと１月１日を表示し、その後、図１１（ｂ）に示すように、月／分設定スイッチ２０２ｏで５月、日／秒設定スイッチ２０２ｐで５日を設定する。そして、設定スイッチ２０２ｓを押すと、図１１（ａ）に示す休日プログラム設定初期表示の−−月−−日の表示となる。また、１回実行スイッチ２０２ｈの１押し毎に、図１１（ｃ）に示す１回実行表示部２０１ｐの点灯（選択）と消灯（非選択）を繰り返す。
【００７０】
なお、上記（９）「回路２」休日プログラム設定モードにおいても、上記（５）「回路１」休日プログラム設定モードと同様に設定できる。
【００７１】
次に上記（６）「回路１」休日プログラム呼出モードについて説明する。設定器２００をプログラムタイマー本体１００に取り付けた状態または設定器２００をプログラムタイマー本体１００から外した状態において、モード切換スイッチ２０４を「回路１」休日プログラム呼出モードの位置にすると、設定した休日プログラムの呼出、変更、または取消ができる。以下、５月５日を休日に設定した「回路１」休日プログラムについて、呼出、変更、取消する場合について説明する。
【００７２】
モード切換スイッチ２０４を「回路１」休日プログラム呼出モードの位置にすると、設定された休日プログラムの最も早い月・日を表示する。休日プログラムが設定されていない場合は、図１０に示すようにプログラム番号表示部２０１ｊに「Ｅｎｄ」を表示する。次に、呼出スイッチ２０２ｍを押して、休日プログラムの５月５日を表示させる。呼出スイッチ２０２ｍを１押しする毎に、早い月日の休日プログラムの月・日から順に表示し、最後にＥｎｄを表示する。
【００７３】
休日プログラムの５月５日を７月１９日に変更する場合、休日プログラム設定モードと同じように月／分設定スイッチ２０２ｏで５月を７月に、日／秒設定スイッチ２０２ｐで５日を１９日に変更した後に、設定スイッチ２０２ｓまたは呼出スイッチ２０２ｍを押すと、プログラム記憶手段２３４に休日プログラムが変更されたことを書き込み、次の休日プログラムの月・日を表示する。
【００７４】
休日プログラムを取り消す場合は、取り消す休日プログラムの月・日を表示しているときに取消スイッチ２０２ｉを押すことにより、その休日プログラムが取り消されて、図１１（ａ）に示す休日プログラム設定初期表示の−−月−−日の表示となる。そして、休日プログラム設定初期表示において、設定スイッチ２０２ｓまたは呼出スイッチ２０２ｍを押すと、プログラム記憶手段２３４に休日プログラムが取り消しされたことを書き込み、次の設定された休日プログラムの月・日を表示する。また、モード切換スイッチ２０４を他の位置に移動させると、プログラム記憶手段２３４に休日プログラムが取り消しされたことを書き込むとともに、モード切換スイッチ２０４の位置に応じて、時刻、プログラム、報知音声信号内容等を表示する。
【００７５】
また、休日プログラム設定初期表示の−−月−−日の表示において、月／分スイッチ２０２ｏ、日／秒スイッチ２０２ｐ、または一回実行スイッチ２０２ｈを押すと、１月１日の表示となる。
【００７６】
なお、上記（１０）「回路２」休日プログラム呼出モードにおいても、上記（６）「回路１」休日プログラム呼出モードと同様に設定できる。
【００７７】
図１２（ａ）〜（ｅ）は、上記（１１）再生・録音・編集モードでの報知音声再生時の表示部２０１を示す図である。ここで、再生・録音・編集時には設定器２００の消費電力が大きいので、ＣＮ１ａ，ＣＮ１ｃを介してプログラムタイマー本体１００が内蔵する電池等の外部電池から外部電池接続用コネクタ２１２を介して設定器２００へ電源供給できる。そこで、設定器２００をプログラムタイマー本体１００に取り付けた状態または設定器２００をプログラムタイマー本体１００から外して外部電池を接続した状態において、モード切換スイッチ２０４を再生・録音・編集モードの位置にすると、報知音声信号記憶手段２４１に記憶された報知音声信号を再生、録音または、編集することができる。
【００７８】
報知音声信号記憶手段２４１には複数の報知音声信号と、各報知音声信号に対応したメロディ番号とが記憶されており、本実施形態では、１番〜４番のメロディ番号に各々対応した４曲のメロディの報知音声信号を報知音声信号記憶手段２４１に記憶している例で説明するが、出荷段階において、報知音声信号記憶手段２４１の記憶容量一杯に記憶させても良く、または本実施形態のように４曲程度のメロディの報知音声信号を記憶させても良く、あるいは報知音声信号記憶手段２４１を空にして報知音声信号を記憶させなくても良い。
【００７９】
設定器２００をプログラムタイマー本体１００から外して外部電池を接続した状態において、外部電池の容量が不足している場合は、図１２（ｄ）に示すように電池消耗表示部２０１ｌを表示して、モード切換スイッチ２０４以外のスイッチ操作は受け付けない。また、設定器２００をプログラムタイマー本体１００から外して外部電池を接続していない状態において、モード切換スイッチ２０４を再生・録音・編集モードの位置にすると、図１２（ｅ）に示すように電池未接続表示部２０１ｍを表示して、モード切換スイッチ２０４以外のスイッチ操作は受け付けない。
【００８０】
次に、４曲のメロディのうちメロディ番号２の報知音声信号によるメロディを再生する場合について説明する。モード切換スイッチ２０４を再生・録音・編集モードの位置にすると、図１２（ａ）に示すように「録音」、「再生」、「編集」の表示部２０１ｎが点滅する再生・録音・編集モードの初期表示となる。
【００８１】
次に、再生スイッチ２０２ａを押すと、表示部２０１ｎの「再生」のみが表示され、メロディ番号表示部２０１ｉにはメロディ番号として「１」を表示し、メロディ時間表示部２０１ｑにメロディのトータル時間を表示する再生の初期表示となる。そして、メロディ番号設定スイッチ２０２ｑで、再生したい報知音声信号のメロディ番号を選択すると、図１２（ｂ）に示すように、選択したメロディ番号と、そのメロディのトータル時間とを表示する。
【００８２】
メロディ番号設定スイッチ２０２ｑは、１押し毎に、１⇔２⇔３⇔４⇔１となり、８曲まで録音した場合は、メロディ番号表示部２０１ｉの表示は８が最大となり、未録音のメロディ番号があれば、そのメロディ番号は表示しない。
【００８３】
そして、図１２（ｂ）の表示状態において、開始／一時停止スイッチ２０２ｄを押すと再生を開始し、図１２（ｃ）に示すように、再生中は表示部２０１ｎに「再生」の表示が点滅し、バー状の録音レベル表示部２０１ｏが報知音声信号の信号レベルに応じて点灯し、メロディ時間表示部２０１ｑに再生時間を表示する。また、再生中に停止スイッチ２０２ｅを押すと報知音声信号の再生を停止して、図１２（ｂ）の表示になる。また、再生中に開始／一時停止スイッチ２０２ｄを押すと、報知音声信号の再生を一時停止して、図１２（ｂ）に示す表示部２０１ｎの「再生」表示とメロディ時間表示部２０１ｑの再生時間表示とが点滅する再生待機中表示となる。この再生待機中に再生を再開する場合は、開始／一時停止スイッチ２０２ｄを再び押す。また、再生待機中表示の状態において、停止スイッチ２０２ｅを押すと、再生待機中表示の状態を解除して図１２（ｂ）の表示状態に戻る。
【００８４】
さらに、再生中は、開始／一時停止スイッチ２０２ｄと停止スイッチ２０２ｅ以外のスイッチ入力は受け付けないようにしている。さらにまた、再生中、再生待機状態等の再生モード状態において、モード切換スイッチ２０４を他の位置に移動すると、その時点で再生モードを解除して、モード切換スイッチ２０４の位置に応じて、時刻、プログラム、報知音声信号内容等を表示する。
【００８５】
また、図１２（ｂ）の表示状態において、録音スイッチ２０２ｂを押すと後述する録音の初期表示に移行し、編集スイッチ２０２ｃを押すと後述する編集の初期表示に移行する。
【００８６】
図１３（ａ）〜（ｆ）は、上記（１１）再生・録音・編集モードでの報知音声録音時の表示部２０１を示す図である。上記再生モードと同様に、１番〜４番のメロディ番号に各々対応した４曲のメロディの報知音声信号を報知音声信号記憶手段２４１に記憶している例で、ＣＤラジカセ等を使用してラジカセ側のヘッドフォン出力に一端を接続したミニジャック付コードの他端を設定器２００の録音用ジャック２０３に接続することで、録音したいメロディの入ったＣＤのメロディを報知音声信号として録音する場合について以下説明する。
【００８７】
まず、設定器２００をプログラムタイマー本体１００に取り付けた状態または設定器２００をプログラムタイマー本体１００から外して外部電池を外部電池接続用コネクタ２１２を介して接続した状態においてミニジャック付コードでラジカセ側のヘッドフォン出力と設定器１００の録音用ジャック２０３とを接続して、モード切換スイッチ２０４を再生・録音・編集モードの位置にすると、図１２（ａ）に示すように「録音」、「再生」、「編集」の表示部２０１ｎが点滅する再生・録音・編集モードの初期表示となる。
【００８８】
次に、録音スイッチ２０２ｂを押すと、図１３（ａ）に示すようにメロディ時間表示部２０１ｑに−−分−−秒の表示がされるとともに表示部２１０ｎには「録音」のみが表示され、メロディ番号表示部２０１ｉにはメロディ番号として本実施形態では「５」を表示し、録音の初期表示となる。再生・録音・編集モードの初期表示から録音スイッチ２０２ｂを押して録音の初期表示に切換えた直後は、録音していない最も小さいメロディ番号を表示する。また、録音していないメロディ番号（本実施形態では、５〜８まで）においてのみ録音することができるようにしており、録音済みのメロディ番号は表示しない。さらに、録音の初期表示の状態において、録音用ジャック２０３から報知音声信号が入力されている場合は、図１３（ｂ）に示すように、その報知音声信号の信号レベルに応じてバー状の録音レベル表示部２０１ｏが点灯する。
【００８９】
全てのメロディ番号において報知音声信号が録音されていた場合は、録音エラーとして、図１３（ｃ）に示すようにメロディ時間表示部２０１ｑ「−−分−−秒」、メロディ番号表示部２０１ｉ「−」を２Ｈｚで点滅させて表示する。この録音エラー表示の解除は、再生スイッチ２０２ａ、編集スイッチ２０２ｃ、またはモード切換スイッチ２０４を操作することで行なう。
【００９０】
そして、図１３（ａ）に示す録音時の初期表示の状態において、メロディ番号設定スイッチ２０２ｑで、録音したい報知音声のメロディ番号を選択すると（この場合は「６」）、図１３（ｄ）に示す録音時のメロディ選択後表示になる。
【００９１】
メロディ番号設定スイッチ２０２ｑは、１押し毎に、５⇔・・・⇔８となり、未録音のメロディ番号のみを表示する。さらに、図１３（ｂ）に示す録音の初期表示状態、また図１３（ｄ）に示す録音時のメロディ選択後表示の状態において、再生スイッチ２０２ａを押すと再生の初期表示に、編集スイッチ２０２ｃを押すと編集の初期表示に移行する。
【００９２】
そして、開始／一時停止スイッチ２０２ｄを押すと録音を開始し、録音中は、図１３（ｅ）に示すように、表示部２０１ｎに「録音」の表示が点滅し、バー状の録音レベル表示部２０１ｏが報知音声信号の信号レベルに応じて点灯し、メロディ時間表示部２０１ｑに録音時間を表示する。また、録音中に停止スイッチ２０２ｅを押すと報知音声信号の録音を停止して、図１３（ｄ）に示す録音時のメロディ選択後表示になる。また、録音中に開始／一時停止スイッチ２０２ｄを押すと、報知音声信号の録音を一時停止して、表示部２０１ｎの録音表示とメロディ時間表示部２０１ｑの時間表示が点滅する録音待機中表示となる。報知音声信号の録音の一時停止中に録音を再開する場合は、開始／一時停止スイッチ２０２ｄを押す。この録音待機中表示の状態において停止スイッチ２０２ｅを押すと、録音待機中表示の状態を解除して、図１３（ｄ）に示す録音時のメロディ選択後表示録音の表示に戻る。また、録音中は、開始／一時停止スイッチ２０２ｄと停止スイッチ２０２ｅ以外のスイッチは受け付けないようにしている。
【００９３】
また、録音中に報知音声信号記憶手段２４１の記憶容量がなくなった場合、録音は途中まで入った状態（報知音声信号記憶手段２４１に途中まで記憶した状態）で、図１３（ｆ）に示すように、メロディ時間表示部２０１ｑに表示した「ＦＵＬＬ」を点滅させて録音待機状態となり、停止スイッチ２０２ｅを押すと、録音のメロディ選択後表示となる。
【００９４】
また、録音後、全てのメロディ番号が録音済みになった場合に、メロディ番号設定スイッチ２０２ｑを操作すると、図１３（ｃ）に示す録音エラー状態を表示する。さらに、録音中、録音待機中等の録音モード状態において、モード切換スイッチ２０４を他の位置に移動すると、その時点で録音を停止し、録音は途中まで入った状態（報知音声信号記憶手段２４１に途中まで記憶した状態）で、モード切換スイッチ２０４の位置に応じて、時刻表示、時刻設定、プログラム設定または呼出等の初期表示を表示する。
【００９５】
さらにまた、外部電池接続での録音中に外部電池が外された場合は、報知音声信号記憶手段２４１に途中まで記憶された報知音声信号は消去される。
【００９６】
図１４（ａ）〜（ｆ）は、上記（１１）再生・録音・編集モードでの報知音声編集時の表示部２０１を示す図である。上記再生モードと同様に、１番〜４番のメロディ番号に各々対応した４曲のメロディの報知音声信号を報知音声信号記憶手段２４１に記憶している例で、メロディ番号５とメロディ番号６は上記録音モードで録音したもので、ここではメロディ番号６に録音した報知音声信号を編集する場合について以下説明する。
【００９７】
報知音声の編集とは、録音したメロディの不要部分を削除することであり、報知音声信号記憶手段２４１に記憶した各メロディの報知音声信号の前部分、後部分、または全部を削除することである。これは、報知音声を録音する場合にラジカセ等の外部機器や設定器２００を操作する必要があるため、録音したいメロディ等の報知音声の所望の部分だけを報知音声信号記憶手段２４１に記憶させることが難しいために、録音後に行なう。
【００９８】
録音の通常の手順としては、設定器２００を録音状態にしてから外部機器を操作して報知音声信号を設定器２００に出力し、設定器２００では所望の報知音声部分を録音し終えてから録音状態を解除して、その後外部機器を操作して報知音声信号の設定器２００への出力を停止する。このため、使用したい報知音声部分の前と後に無音部分、雑音、または不要なメロディや報知音声が報知音声信号記憶手段２４１に記憶されてしまう。このように記憶した報知音声信号をこのまま使用すると、プログラムで設定した報知時刻に報知音声を報知させようとした場合に、例えば無音部分があると時刻通りに報知音声信号記憶手段２４１から報知音声信号を送出しても時刻通りに報知音声が出力されないことになり、あるいは雑音や不要な報知音声があると所望の報知音声以外の報知音声も報知されることになり、録音した報知音声信号は報知音声に不適切なものとなる。
【００９９】
上記課題を解決するために報知音声号記憶手段２３４に記憶した各報知音声の所望の部分の前後の無音部分、雑音、または不要な報知音声部分を削除するのである。
【０１００】
設定器２００をプログラムタイマー本体１００に取り付けた状態または設定器２００をプログラムタイマー本体１００から外して外部電池を接続した状態において、モード切換スイッチ２０４を再生・録音・編集モードの位置にすると、図１２（ａ）に示すように「録音」、「再生」、「編集」の表示２０１ｎが点滅する再生・録音・編集モードの初期表示となる。次に、編集スイッチ２０２ｃを押すと、本実施形態では図１４（ａ）に示すようにメロディ時間表示部２０１ｑにメロディのトータル時間が表示されるとともに表示部２１０ｎには「編集」のみが表示され、メロディ番号表示部２０１ｉにはメロディ番号として本実施形態では「５」を表示し、編集の初期表示となる。図１２（ａ）に示す再生・録音・編集の初期表示から編集スイッチ２０２ｃを押して図１４（ａ）に示す編集の初期表示に切換えた直後は、録音済みの最も小さいメロディ番号とその録音されたメロディのトータル時間を表示する。また、この実施形態では、出荷段階において報知音声信号記憶手段２４１に記憶している４曲のメロディは編集できないようにしているのでメロディ番号１〜４は表示されず、さらに録音していないメロディ番号の報知音声信号は編集できないためメロディ番号７と８も表示されない。
【０１０１】
なお、録音メロディがない場合は、「録音エラー」として、図１３（ｃ）に示すように録音時間を「−−  −−」、メロディ番号「−」を２Ｈｚで点滅させて表示する（但し、表示部２１０ｎには「編集」のみが表示される）。この録音エラー表示の解除は、再生スイッチ２０２ａ、編集スイッチ２０２ｃ、またはモード切換スイッチ２０４を操作することで行なう。
【０１０２】
まず、メロディ番号設定スイッチ２０２ｑで、編集したい報知音声のメロディ番号を選択（本実施形態では「６」）すると、図１４（ｂ）に示すように編集時のメロディ選択後表示になる。さらに、図１４（ａ）に示す編集の初期表示の状態、または図１４（ｂ）に示す編集時のメロディ選択後表示の状態において、再生スイッチ２０２ａを押すと再生の初期表示に移行し、録音スイッチ２０２ｂを押すと録音の初期表示に移行する。
【０１０３】
そして、図１４（ｂ）に示す編集時のメロディ選択後表示の状態において、開始／一時停止スイッチ２０２ｄを押すと編集再生を開始し、上記再生時と同様に編集再生中は表示部２０１ｎの「編集」の表示が点滅し、バー状の録音レベル表示部２０１ｏが報知音声信号の信号レベルに応じて点灯し、メロディ時間表示部２０１ｑに再生時間を表示する。また、編集再生中に停止スイッチ２０２ｄを押すと、報知音声信号の再生を停止して、図１４（ｂ）に示す編集時のメロディ選択後表示になる。
【０１０４】
編集再生中に、開始／一時停止スイッチ２０２ｄを押すと、報知音声信号の再生を一時停止して、表示部２０１ｎの「編集」表示とメロディ時間表示部２０１ｑの再生時間表示が点滅する編集再生待機中表示となる。編集再生待機中に、編集再生を再開する場合は、開始／一時停止スイッチ２０２ｄを押す。また、編集再生待機中表示の状態において停止スイッチ２０２ｅを押すと、再生待機中表示の状態を解除して、図１４（ｂ）に示す編集再生時のメロディ選択後表示に戻る。また、編集再生中は、開始／一時停止スイッチ２０２ｄと停止スイッチ２０２ｅ以外のスイッチ入力は受け付けないようにしている。
【０１０５】
次に、報知音声信号記憶手段に記憶した各メロディの所望の報知音声部分の前部分に録音された不要な報知音声信号を削除する方法について説明する。メロディ番号設定スイッチ２０２ｑで、編集したい報知音声のメロディ番号を選択して図１４（ｂ）に示す編集時のメロディ選択後表示に移行して、開始／一時停止スイッチ２０２ｄを押して編集再生を開始する。編集再生中はメロディ時間表示部２０１ｑに再生時間を表示するので、残したい報知音声部分の先頭になれば開始／一時停止スイッチ２０２ｄを押して報知音声信号の再生を一時停止して、表示部２０１ｎの「編集」表示とメロディ時間表示部２０１ｑの再生時間表示が点滅する編集再生待機中表示に移行させる。
【０１０６】
そして、前消スイッチ２０２ｇを押すと上記編集再生で再生した時点までの報知音声信号を報知音声信号記憶手段内で消去する。このとき、編集していることが分かるようにメロディ時間表示部２０１ｑの再生時間表示を点滅させて編集処理表示を所定の時間だけ行なった後に、図１４（ｂ）に示す編集時のメロディ選択後表示状態になる。ただし、メロディ時間表示部２０１ｑに表示されるメロディのトータル時間は編集後であるので、編集前の時間から上記消去した部分の時間を削除した時間となっている。
【０１０７】
次に、報知音声信号記憶手段２４１に記憶した各メロディの所望の報知音声部分の後部分に録音された不要な報知音声信号を削除する場合について説明する。メロディ番号設定スイッチ２０２ｑで、編集したい報知音声のメロディ番号を選択して図１４（ｂ）に示す編集時のメロディ選択後表示に移行して、開始／一時停止スイッチ２０２ｑを押して編集再生を開始する。編集再生中はメロディ時間表示部２０１ｑに再生時間を表示するので、残したい報知音声部分の最後になれば開始／一時停止スイッチ２０２ｄを押して報知音声信号の再生を一時停止して、表示部２０１ｎの「編集」表示とメロディ時間表示部２０１ｑの経過時間表示が点滅する編集再生待機中表示に移行させる。
【０１０８】
そして、後消スイッチ２０２ｈを押すと上記編集再生で再生していない時間部分の報知音声信号を報知音声信号記憶手段２４１内で消去する。このとき、編集していることが分かるようにメロディ時間表示部２０１ｑの再生時間表示を点滅させて編集処理表示を所定の時間だけ行なった後に、図１４（ｂ）に示す編集時のメロディ選択後表示状態になる。ただし、メロディ時間表示部２０１ｑに表示されるメロディのトータル時間は編集後であるので、編集前の時間から上記消去した部分の時間を削除した時間となっている。
【０１０９】
また、消去部分を決める際に、報知音声信号の再生を一時停止させた時点が前消または後消したい時間の前または後である場合に、秒送りスイッチ２０２ｎを１回押す毎に経過時間の表示を１秒づつ進ませるまたは戻すことができる。さらに、秒送りスイッチ２０２ｎを長押しすると早進みまたは早戻りを行う。なお本実施形態においては、秒送りスイッチ２０２ｎによる報知音声信号の処理は、編集再生待機中表示の時のみ実行できるようにしている。この秒送りスイッチ２０２ｎによる報知音声信号記憶手段２４１内の処理は記憶ブロック単位に処理されるため、メロディ時間表示部２０１ｑの時間表示は１秒ずつ変化するが、報知音声信号記憶手段２４１内に記憶された報知音声信号としては約１秒間分の処理となる。
【０１１０】
次に、報知音声信号記憶手段２４１に記憶した報知音声を、各メロディ番号毎に全部削除する場合について説明する。メロディ番号設定スイッチ２０２ｑで、削除したい報知音声のメロディ番号（本実施形態では「６」）を選択して、図１４（ｂ）に示す編集時のメロディ選択後表示に移行して、全消スイッチ２０２ｉを押すと、報知音声信号記憶手段２４１内のメロディ番号６の報知音声信号を全て消去し、メロディ時間表示部２０１ｑは、「−−分−−秒」の表示になる。この後、メロディ番号選択スイッチ２０２ｑによっても、消去したメロディ番号６は表示されない。全てのメロディ番号の報知音声信号が消去された場合は、図１２（ａ）に示す再生・録音・編集初期表示状態になる。
【０１１１】
全消スイッチ２０２ｉによる報知音声信号の消去処理は、編集モードにおいてのみ実行できる。但し、全ての録音されたメロディ番号の報知音声信号を一括して消去することは不可能であり、各メロディごとに消去する必要がある。
【０１１２】
また、設定器２００をプログラムタイマー本体１００から外して外部電池を接続した状態において、前消、後消、全消の操作中に外部電池が外された場合は、処理中の編集処理を実行してから、電池未接続表示となる。また、編集再生中、編集待機中に外部電池が外された場合は、外部電池を外された時点で編集再生または編集待機中状態を解除して、図１２（ｆ）に示すように電池未接続表示部２０１ｍを点灯させる。さらに、前消、後消、全消の操作中に外部電池の容量が不足した場合は、図１２（ｇ）に示すように電池消耗表示を表示して、モード切換スイッチ２０４以外のスイッチ操作は受け付けない。
【０１１３】
さらにまた、編集再生中、編集再生待機中状態等の編集モード状態においてモード切換スイッチ２０４を他の位置に移動すると、その時点で編集モードを解除して、モード切換スイッチ２０４の位置に応じて、時刻表示、時刻設定、プログラム設定または呼出等の初期表示を表示する。
【０１１４】
図１５は、事務所などにプログラムタイマーを設置し、このプログラムタイマーの制御により工場照明の点灯制御、あるいはスピーカ部から始業、終業及び休み時間などを知らせるチャイム音、あるいは休み時間などのＢＧＭとして流すメロディーの発生制御を行う一構成例を示している。プログラムタイマー本体１００及び設定器２００、報知音声信号増幅装置４００を事務所Ａ内に設置し、事務所Ａの出入口には人体感知センサ４１０、呼出スイッチ４２０を設定して来客検知を行なう。ここで、端子台ＴＢＡは、図１６に示すように、上カバー１０６ｂを外したプログラムタイマー本体１００の上部に設けられており、端子台ＴＢＡは、図１７の端子台ＴＢ１，ＴＢ２，報知音声信号ジャック１７３を１つの端子台で構成したもので、端子台ＴＢ１は端子Ｐ１〜Ｐ１２で構成され、端子台ＴＢ２は端子Ｐ１３〜Ｐ１７で構成される。また、マイクＭはプログラムタイマー本体１００の下面に設けたマイク信号入力ジャックに接続される。
【０１１５】
そして、端子Ｐ１，Ｐ２間にはＡＣ１００Ｖの商用電源が接続されて電源供給され、端子Ｐ４はＳＧ端子となる。なお、ＡＣ２００Ｖ電源の場合は、端子Ｐ１，Ｐ３間に入力される。
【０１１６】
工場Ｃ内の複数のスピーカ部５００はプログラムタイマーからの各種報知音声信号出力を増幅する報知音声信号増幅装置４００に接続され、プログラムタイマー本体１００の報知音声信号ジャック１７３と報知音声信号増幅装置４００との間は両端にジャックを設けた信号線４３０で接続されて報知音声信号を伝達している。そして、プログラムタイマーは「回路１」の制御出力端子Ｐ５，Ｐ６を用いて報知音声信号増幅装置４００の駆動制御を行うことにより、スピーカ部５００から各種の報知音声を吹鳴させるようにしている。
【０１１７】
工場Ｃ内の工場照明５３０には、ブレーカーなどが設置された分電盤５１０、及び点灯制御用電磁接触器が設置された制御盤５２０を介してＡＣ１００Ｖの商用電源が供給され、プログラムタイマーは「回路２」の制御出力端子Ｐ７，Ｐ８を用いて制御盤５２０の電磁接触器の駆動制御を行うことにより、工場照明５３０の点灯制御を行う。
【０１１８】
また、人体感知センサ４１０、呼出スイッチ４２０が外部割込入力端子Ｐ９，Ｐ１０に接続されており、外部スピーカ出力端子Ｐ１１，Ｐ１２に接続された別事務所Ｂ内のスピーカ部６００からの報知音声出力は、プログラムによる設定時間だけでなく、人体感知センサ４１０、呼出スイッチ４２０の無電圧接点出力による外部割込み制御によってもオン・オフされる。
【０１１９】
別事務所Ｂ内の電波受信ユニット３００は端子台ＴＢ２に接続されており、電波受信ユニット３００の出力端子Ｐ２１，Ｐ２２がプログラムタイマー本体１００の入力端子Ｐ１３，Ｐ１４に接続され、プログラムタイマー本体１００の電源端子Ｐ１５，Ｐ１６から電波受信ユニット３００の電源端子Ｐ２３，Ｐ２４にＤＣ２４Ｖが供給される。また、プログラムタイマー本体１００のＧＮＤ端子Ｐ１７は電波受信ユニット３００のＧＮＤ端子Ｐ２５に接続される。
【０１２０】
次に、図１７〜図１９は、図１のプログラムタイマーの概略構成を具体回路で表したもので、図１７にプログラムタイマー本体１００の具体回路構成、図１８に設定器２００の具体回路構成、図１９に電波受信ユニット３００の具体回路構成を各々示す。
【０１２１】
プログラムタイマー本体１００−設定器２００間はコネクタＣＮ６ａ−ＣＮ６ｂ（コネクタ１０９−２０７）を介して接続され、設定器２００−電波受信ユニット３００間は端子台ＴＢ２−ＴＢ３を介して接続される。
【０１２２】
プログラムタイマー本体１００は、電源基板１００ａ、制御基板１００ｂ、スイッチ基板１００ｃからなり、電源基板１００ａ−制御基板１００ｂ間はコネクタＣＮ３ａ−ＣＮ３ｂで接続され、制御基板１００ｂ−スイッチ基板１００ｃ間はコネクタＣＮ４ａ−ＣＮ４ｂ、コネクタＣＮ５ａ−ＣＮ５ｂで接続される。
【０１２３】
電源基板１００ａは、本体電源回路１５０、報知音声信号増幅回路１６５、リレー駆動回路１６９、受信回路１７１、報知音声信号ジャック１７３を実装し、コネクタＣＮ７、ＣＮ８を介してトランス１５１の両端に接続している。
【０１２４】
制御基板１００ｂは、本体信号電源回路１５２、停電補償用電池１５３、本体制御回路１５４、水晶発振回路１５５、テスト周波数発振回路１５７、本体／設定器切換回路１５８、液晶１６０、キーマトリクス１６３、報知音声増幅回路１６４、増幅回路（マイク）１６８、本体Ｉ／Ｏ部１７２、リセット回路１７４を実装し、アナログ時計部１５９が接続している。
【０１２５】
スイッチ基板１００ｃは、手動出力切換スイッチ１５９、マイク信号入力ジャック１６７、リレー出力中表示回路１７０を実装している。
【０１２６】
設定器２００は、設定器基板２００ａ上に実装された設定器電源回路２５０、停電補償用電池２５１、報知音声録音再生回路２５２、設定器制御回路２５３、本体／設定器切換回路２５４、クロック発振回路２５５，２６４，２６７、リセット回路２５６、テスト周波数発振回路２５７、液晶２６１、記憶回路２６２、操作部２６５、キーマトリクス２６６、増幅回路２６９、キー受付音発振回路２７１、設定器Ｉ／Ｏ部２７２、報知音声制御回路２７４と、録音信号入力ジャック２６８と、コネクタＣＮ７を介して設定器基板２００ａに接続された設定器内蔵スピーカ２７０とを備える。
【０１２７】
電波受信ユニット３００は、受信ユニット電源回路３５０と、電波受信制御回路３５１と、バーアンテナ３５２と、受信部３５３と、通信回路３５４と、受信信頼度表示部３５５と、受信状態表示部３５６とを受信ユニット基板３００ａ上に実装している。
【０１２８】
まず、プログラムタイマー本体１００について説明する。本体電源回路１５０は、商用電源からの電源を後述する各回路に供給するもので、商用電源を降圧するトランス１５１の出力を整流平滑する整流平滑回路及びさらに降圧する降圧回路とで構成され、本体信号電源回路１５２等の各回路、設定器２００の設定器電源回路２５０、電波受信ユニット３００の受信ユニット電源回路３５０にも電源を供給している。
【０１２９】
本体信号電源回路１５２と設定器２００の設定器電源回路２５０には、停電時などにおける非常電源として、ニッケル・水素電池などの停電補償用電池１５３，２５１を接続しているが、この停電補償用電池１５３，２５１の充放電は図示しない充放電切換回路で各々切り換えられる。つまり、充放電切換回路は、商用電源供給時には本体電源回路１５０の出力で停電補償用電池１５３，２５１を充電し、プログラムタイマー本体１００に設定器２００、電波受信ユニット３００が取り付けられた状態で停電した時には、プログラムタイマー本体１００の停電補償用電池１５３を外部電池として設定器電源回路２５０、受信ユニット電源回路３５０に電源供給する。なお、設定器２００においては、プログラムタイマー本体１００の停電補償用電池１５３が消耗すると自器の停電補償用電池２５１から電源供給を行なう。また、設定器２００をプログラムタイマー本体１００から取り外した場合は、充放電回路によって自器の停電補償用電池２５１から電源供給を行なうように動作する。
【０１３０】
さらに、停電補償用電池１５３にはコネクタＣＮ１ａが接続されており、このコネクタＣＮ１ａは、設定器電源回路２５０及び受信ユニット電源回路３５０の各入力に接続されたコネクタＣＮ１ｂ，ＣＮ１ｃに接続可能で、停電補償用電池１５３を、設定器電源回路２５１または受信ユニット電源回路３５０に外部電池として容易に接続できるようにしている。例えば、設定器２００の消費電力が大きくなる再生・録音・編集モード時にはＣＮ１ａ，ＣＮ１ｃを介してプログラムタイマー本体１００の停電補償用電池１５３から設定器電源回路２５０に電源供給する。さらに、電池切れを検出するために本体信号電源回路１５２、設定器電源回路２５０には電池電圧の検出回路を設けており、この電池容量のチェック時にも充放電切換回路を動作させる。
【０１３１】
本体制御回路１５４は、中枢的な機能を果たす１つのマイクロコンピュータにプログラムタイマー本体１００の制御機能と設定器２００のの制御機能との２つの制御機能を内蔵しているため、本体制御機能として使用する場合と設定器制御機能として使用する場合とを切換える本体／設定器切換回路１５８をマイクロコンピュータの周辺構成として備える。さらに、本体制御回路用クロックを発振する水晶発振回路１５５、テスト周波数発振回路１５７、起動時などに本体制御回路１５４をリセットするリセット回路１７４も同様にマイクロコンピュータの周辺構成として備え、本体制御回路１５４はチャイム音などの鳴動制御、外部機器の制御またはアナログ時計部１５９の駆動制御等の信号処理を行う。
【０１３２】
また、本体制御回路１５４は液晶駆動回路１５６を内蔵しており、手動出力切換スイッチ１５９（制御出力手動操作スイッチ１０４ａ，１０４ｂ）の操作または外部割込入力の判定による出力の選択状態や、各プログラムの内容等を液晶１６０に表示する。
【０１３３】
また、本体制御回路１５４には、各スイッチの操作入力や、設定器２００、電波受信ユニット３００、外部機器からの入力信号が与えられる。例えば、手動出力切換スイッチ１５９（制御出力手動操作スイッチ１０４ａ，１０４ｂ）、アナログ時計調整スイッチ１０４ｃの操作入力や、設定器２００の各スイッチからの入力信号や、手動出力切換スイッチ１５９によって外部機器を動作させたり報知音声を出力させるか否かを選択する外部割込出力選択スイッチからの入力信号や、報知音声の鳴動可否及びメロディ番号の選択を行なうメロディ選択スイッチの入力信号や、人体検知センサー４１０や呼び出しボタン４２０等の外部機器の無電圧接点出力に応じた外部割込入力信号や、外部割込入力信号に応じてメロディ番号の選択を行なう外部割込メロディ選択スイッチの入力信号等である。なお、外部割込出力選択スイッチ、メロディ選択スイッチ、外部割込メロディ選択スイッチは、プログラムタイマー本体１００の内部に設けてある。また、スイッチ基板１００ｃからの入力はキーマトリクス１６３を介して入力され、キーマトリクス１６３はマイクロコンピュータの周辺構成として備えている。
【０１３４】
また、本体制御回路１５４は、手動出力切換スイッチ１５９（制御出力手動操作スイッチ１０４ａ，１０４ｂ）、アナログ時計調整スイッチ１０４ｃの操作状態、外部割込入力の判定状態、メロディ選択スイッチ、外部割込出力選択スイッチ、外部割込メロディ選択スイッチの各設定状態を記憶する記憶回路１６２と、本体Ｉ／Ｏ部１７２と設定器Ｉ／Ｏ部２７２とを介して設定器２００との間の通信を行う通信回路１６１とを内蔵している。
【０１３５】
また、プログラムタイマー本体１００には、設定器２００の報知音声録音再生回路２５２からの報知音声信号を増幅して各種のチャイム音あるいはメロディ等の報知音声を増幅する報知音声増幅回路１６４を備え、報知音声増幅回路１６４は報知音声信号増幅回路１６５に接続し、報知音声信号増幅回路１６５はコネクタＣＮ２を介して内蔵スピーカ１６６に接続している。
【０１３６】
さらには、マイクＭからのマイク音声信号は、マイク信号入力ジャック１６７、増幅回路（マイク）１６８を介して報知音声信号増幅回路１６５に入力しており、報知音声信号増幅回路１６５の出力は、内蔵スピーカ１６６とともに端子台ＴＢ１の外部スピーカ出力端子Ｐ１１，Ｐ１２に接続しており、外部スピーカ出力端子Ｐ１１，Ｐ１２にスピーカ部６００等の外部スピーカを接続して報知音声を出力することができる。
【０１３７】
プログラムタイマー本体１００が回路１，回路２の各外部機器を制御する制御出力を発生するために備えるリレー駆動回路１６９は、２巻線タイプのラッチングリレーからなるリレーと、本体制御回路１５４の制御に応じてリレーの駆動制御を行うリレー駆動制御回路とで構成され、その制御出力は端子台ＴＢ１の端子Ｐ５〜Ｐ８から出力される。また、本体制御回路１５４には、２巻線タイプのラッチングリレーではなく１巻線タイプのステイブルリレーが使用できるようにステイブルリレー駆動手段を備えている。
【０１３８】
また、手動出力切換スイッチ１５９（制御出力手動操作スイッチ１０４ａ，１０４ｂ）の操作によるリレー駆動回路１６９の状態を表示する発光ダイオード等からなるリレー出力中表示回路１７０を備える。
【０１３９】
また、駆動源としてモーターを備えたアナログ時計１５９を駆動するアナログ時計駆動回路１７１は、モーターを駆動制御するモーター駆動回路からなる。
【０１４０】
なお、本体電源回路１５０と本体信号電源回路１５２とにより図１に示す本体電源形成手段１４７を構成し、液晶駆動回路１５６と液晶１６０により出力選択・表示手段１３２を構成し、記憶回路１６２を内蔵により出力判定状態記憶手段１３４を構成し、本体制御回路１５４によりスイッチ操作判定手段１３０、外部割込入力判定手段１３１、出力選択・表示手段１３２、出力判定手段１３３、出力判定状態記憶手段１３４、時計手段１３５、出力制御手段１３６、時刻生成・電波受信判定手段１４２、同期出力発生手段１４４を構成し、報知音声増幅回路１６４、報知音声信号増幅回路１６５、内蔵スピーカ１６６により報知音声を発生する報知音声出力手段１３９を構成し、リレー駆動回路１６９により制御出力手段１３７、制御出力手段１３８を構成し、リレー出力中表示回路１７０により手動スイッチ操作表示手段１４１を構成し、アナログ時計駆動回路１７１によりアナログ時計手段１４０を構成し、コネクタＣＮ３ａによりコネクタ１４５を構成し、端子台ＴＢ２により端子台１４６を構成している。
【０１４１】
次に、設定器２００について説明する。設定器制御回路２５３は、中枢的な機能を果たす１つのマイクロコンピュータにプログラムタイマー本体１００の制御機能と設定器２００の制御機能との２つの制御機能を内蔵しているため本体制御機能として使用する場合と設定器制御機能として使用する場合とを切換える本体／設定器切換回路２５４をマイクロコンピュータの周辺構成として備える。さらに、クロック発振回路２５５、起動時などに設定器制御回路２５３をリセットするリセット回路２５６、テスト周波数発振回路２５７も同様にマイクロコンピュータの周辺構成として備える。
【０１４２】
さらに、設定器制御回路２５３は、操作部２６５（スイッチ２０２、モード切替スイッチ２０４）の操作状態を記憶する記憶回路２５８を内蔵するとともに、本体Ｉ／Ｏ部１７２と設定器Ｉ／Ｏ部２７２とを介してプログラムタイマー本体１００との間の通信を行う通信回路２５９を内蔵している。
【０１４３】
また、設定器制御回路２５３の入力部としてキーマトリックス２６６を備え、このキーマトリックス２６６は操作部２６５に接続される。
【０１４４】
さらに、設定器２００は、報知音声記憶部２６３に記憶したチャイム音やメロディやアナウンス等の複数の報知音声信号の再生、録音、編集や、報知音声信号間の出力レベルを調整するために記憶回路２６２に記憶した報知音声信号を呼び出して報知音声録音再生回路２５２へ出力する制御等の中枢的な機能を果たすマイクロコンピューターからなる報知音声制御回路２７３を備えており、その周辺回路としてクロック発振回路２６７，２７４と上述のリセット回路２５６とを設けている。
【０１４５】
記憶回路２６２は、複数の報知音声信号を記憶する報知音声記憶部２６３と、操作部２６５によって設定されたプログラムを記憶するプログラム記憶部２６４とから構成される。
【０１４６】
また、報知音声を外部機器から録音する場合は、設定器２００の録音信号入力ジャック２６８から入力された報知音声信号が増幅回路２６９を介して報知音声録音再生回路２５２に入力され、報知音声録音再生回路２５２から報知音声制御回路２７３を介して報知音声記憶部２６３に記憶されることで行なわれる。
【０１４７】
また、報知音声の再生時には、報知音声記憶部２６３に記憶した報知音声信号を呼び出して、報知音声制御回路２７３、報知音声録音再生回路２５２を介して設定器内蔵スピーカ２７０から報知音声を出力する。
【０１４８】
また、キー受付音発振回路２７１を備えて、操作部２６５の操作に伴うキーマトリックス２６６動作時に受付音をスピーカー２７０から出力し、誤操作した場合には警報音をスピーカー２７０から出力するようになっている。
【０１４９】
なお、設定器制御回路２５３により図１に示すプログラム設定手段２３０ａ，２３０ｂ、表示制御手段２３８、時計設定手段２３９、時計手段２４０、報知音声制御手段２４２、プログラム判断手段２４５、電波受信制御手段２４６、同期入力判定手段２４９、同期スタート信号発生手段２５０、コネクタ接続判定手段２５１を構成し、ＬＣＤ駆動回路２６０、液晶ディスプレイ（ＬＣＤ）２６１により表示手段２３５を構成し、記憶回路２６２によりプログラム記憶手段２３４，報知音声信号記憶手段２４１を構成し、スピーカ２７０で報知音声確認手段２４４を構成している。
【０１５０】
次に、電波受信ユニット３００について説明する。電波受信制御回路３５１は、中枢的な機能を果たす１つのマイクロコンピュータで構成され、バーアンテナ３５２が受信部３５３を介して接続されるとともに、通信回路３５４を介してプログラムタイマー本体１００に接続されている。そして、電波受信制御回路３５１は、受信部３５３がバーアンテナ３５２を介して受信した標準電波から時刻信号を得て、通信回路３５４を介してプログラムタイマー本体１００に出力するのであるが、その受信信頼度は発光ダイオード等の受信信頼度表示部３５５で表示され、受信状態も発光ダイオード等の受信状態表示部３５６で表示される。
【０１５１】
なお、電波受信制御回路３５１、バーアンテナ３５２、受信部３５３により図１に示す電波受信手段３０１、時刻信号判定手段３０２を構成し、受信信頼度表示部３５５、受信状態表示部３５６で電波状態表示手段３０３を構成する。
【０１５２】
図２０は、上記のように設定したプログラムを実行するメインルーチンの一部を示すフローチャートである。プログラムタイマーのメインルーチンは、時計制御（現在時刻、時計同期）処理（ステップＳ１）、設定器２００の操作部入力検出・プログラム設定処理（ステップＳ２）、プログラムタイマー本体１００のスイッチ操作判定・外部割込入力検出処理（ステップＳ３）、プログラムＯＮ（制御出力、報知音声出力ＯＮ）処理（ステップＳ４）、プログラムＯＦＦ（制御出力、報知音声出力ＯＦＦ）処理（ステップＳ５）等で構成されている。
【０１５３】
プログラムタイマー本体の手動操作判定・外部割込入力処理（ステップＳ３）では、プログラムタイマー本体１００の下部に設けられた手動出力切換スイッチ１５９（制御出力手動操作スイッチ１０４ａ，１０４ｂ）の操作、あるいは人体検知センサー４１０、呼び出しボタン４２０等の無電圧接点出力による外部割込入力によって照明、スピーカ等の外部機器を動作させたり報知音声を出力するときに、外部機器を動作させるか否かを選択する外部割込出力選択スイッチ、報知音声としてメロディを鳴らすか否か、またはどの報知音声信号番号の報知音声を選択するかを設定するメロディ選択スイッチ、無電圧接点出力による外部割込入力によりどの報知音声信号番号の報知音声を出力するかを設定する外部割込メロディ選択スイッチからの入力信号を処理している。
【０１５４】
図２１は、図２０のステップＳ４のプログラムＯＮ（制御出力、報知音声出力ＯＮ）処理を示すフローチャートである。このプログラムＯＮ処理は、まず、毎正秒の−７５０ｍｓｅｃタイミングであるか否かを判定し（ステップＳ１０）、Ｎｏの場合は、メインルーチンのプログラムＯＦＦ処理に移る。Ｙｅｓの場合は、１０秒前起動設定の有無の判定に移る（ステップＳ１１）。
【０１５５】
そして、ステップＳ１１において、１０秒前起動設定がされている場合は（Ｙｅｓ）、現在時刻がある分の４９秒であるか否かの判定に移り（ステップＳ１２）、１０秒前起動設定がされていない場合は（Ｎｏ）、現在時刻がある分の５９秒であるか否かの判定に移る（ステップＳ１３）。ステップＳ１２，Ｓ１３においてＹｅｓの場合は、現在時刻を取得して、現在時刻＋１分の値を“時刻判定値”とする処理（ステップＳ１４）を行なった後に、プログラム時刻判定処理（ステップＳ１５）を行う。
【０１５６】
プログラム時刻判定処理は、現在時刻がある分の４９秒あるいは５９秒のときに実施し、プログラム設定内容（曜日、時、分、報知信号番号、報知数）のチェック、現在時刻の修正（調整）を行なう。なお、現在時刻をプログラムのＯＮ時間帯にした場合は別の処理で対処する。
【０１５７】
ステップＳ１２，Ｓ１３においてＮｏの場合（すなわち、現在時刻がある分の４９秒または５９秒でない場合）、あるいはプログラム時刻判定処理（ステップＳ１５）後には、強制ＯＦＦ出力判定処理（ステップＳ１６）に移り、手動出力切換スイッチ１５９（制御出力手動操作スイッチ１０４ａ，１０４ｂ）の操作、あるいは人体検知センサー４１０、呼び出しボタン４２０等の無電圧接点出力による外部割込入力によって制御出力を強制ＯＦＦするか否かを判定する。
【０１５８】
次に、ＯＮ出力が必要か否か（制御出力ＯＮ要求、報知音声出力ＯＮ要求）の判定（ステップＳ１７）に移る。この判定は、プログラム時刻判定処理（ステップＳ１５）と強制ＯＦＦ出力判定処理（ステップＳ１６）の判定での優先順位により、制御出力、及び選択された報知音声信号番号に対応する報知音声出力のＯＮ出力の可否判定を行う。
【０１５９】
ステップＳ１７においてＯＮ出力が必要でない場合は（Ｎｏ）、メインルーチンのプログラムＯＦＦ処理に移り、ＯＮ出力が必要である場合は（Ｙｅｓ）、制御出力ＯＮ処理（ステップＳ１８）と報知音声出力処理（ステップＳ１９）とを行なって、メインルーチンのプログラムＯＦＦ処理に移る。
【０１６０】
図２２は、図２１のステップＳ１５のプログラム時刻判定処理を示すフローチャートである。プログラム時刻判定処理は、まず休日設定の有無判定を行い、休日設定が有る場合は、プログラムＯＮ処理の強制ＯＦＦ出力判定処理（ステップＳ１６）に移り、休日設定が無い場合は、次分がプログラムの設定時刻（曜日、時、分）であるか否かの判定（ステップＳ２１）に移る。次分がプログラムの設定時刻（曜日、時、分）でない場合は（Ｎｏ）、プログラムＯＮ処理の強制ＯＦＦ出力判定処理に移り、次分がプログラムの設定時刻（曜日、時、分）である場合は（Ｙｅｓ）、制御出力の出力時間チェック処理（ステップＳ２２）と報知音声信号番号と報知数のチェック処理（ステップＳ２３）を実施して、プログラムＯＮ処理の強制ＯＦＦ出力判定処理に移る。
【０１６１】
ステップＳ２１における次分がプログラムの設定時刻（曜日、時、分）であるか否かの判定は、ステップＳ１４での時刻判定値とプログラム記憶手段２３４に記憶されたプログラムの設定時刻との比較により行なう。
【０１６２】
図２３は、図２１のステップＳ１９の報知音声出力ＯＮ処理を示すフローチャートである。報知音声出力ＯＮ処理は、まず、プログラム時刻判定処理（ステップＳ１５）と強制ＯＦＦ出力判定処理（ステップＳ１６）との各判定処理に基づいて報知音声出力開始要求の有無判定（ステップＳ３０）を行い、要求がない場合は（Ｎｏ）、メインルーチンのプログラムＯＦＦ処理に移り、要求がある場合は（Ｙｅｓ）、報知音声出力中であるか否かの判定（ステップＳ３１）に移る。
【０１６３】
ステップＳ３１において、報知音声出力中の場合は（Ｙｅｓ）、報知音声信号強制終了コマンド送信処理（ステップＳ３２）と報知音声信号再生コマンド送信処理（ステップＳ３３）とを実施してメインルーチンのプログラムＯＦＦ処理に移る。報知音声出力中でない場合は（Ｎｏ）、報知音声信号再生コマンド送信処理（ステップＳ３３）を実施してメインルーチンのプログラムＯＦＦ処理に移る。
【０１６４】
上記報知音声出力ＯＮ処理は、１分以上の長い報知音声信号を出力している最中、あるいは１分以内の短い報知音声信号でも２回以上繰返して出力している最中に、次のプログラムで設定した報知音声信号を出力する設定時間になった場合に、現在出力中の報知音声信号を停止させて次のプログラムで設定した報知音声信号を出力する処理であり、さらには１分以内の短い報知音声信号を出力している場合でも、手動出力切換スイッチ１５９（制御出力手動操作スイッチ１０４ａ，１０４ｂ）の操作あるいは外部割込入力によって次の報知音声信号を出力する処理でもある。
【０１６５】
図２４は、図２０のステップＳ５のプログラムＯＦＦ（制御出力、報知音声出力ＯＦＦ）処理を示すフローチャートである。プログラムＯＦＦ処理は、まずプログラムＯＮ実行中であるか否かの判定を行い（ステップＳ４０）、プログラムＯＮ実行中の場合は（Ｙｅｓ）、プログラムで設定した制御出力の“入時間”が経過しているか否かの判定（ステップＳ４１）に移り、プログラムＯＮ実行中でない場合は（Ｎｏ）、報知音声出力中であるか否かの判定（ステップＳ４３）に移る。
【０１６６】
ステップＳ４１においてプログラム“入時間”が経過している場合は（Ｙｅｓ）、制御出力ＯＦＦ処理（ステップＳ４２）を実施してから報知音声出力中であるか否かの判定（ステップＳ４３）に移り、プログラム“入時間”が経過していない場合は（Ｎｏ）、直接ステップ４３に移る。
【０１６７】
ステップＳ４３において、報知音声出力中である場合は（Ｙｅｓ）、再生完了コマンド受信したか否かの判定（ステップＳ４４）に移り、報知音声出力中でない場合は（Ｎｏ）、メインルーチンの次の処理に移る。
【０１６８】
ステップＳ４４において再生完了コマンド受信した場合は（Ｙｅｓ）、設定した報知数から１づつ減算していく報知数−１の処理（ステップＳ４５）を実施してから、報知数＝０であるか否かの判定（ステップＳ４６）に移り、再生完了コマンド受信していない場合は（Ｎｏ）、メインルーチンの次の処理に移る。
【０１６９】
ステップＳ４６において報知数＝０の場合は（Ｙｅｓ）、報知音声出力中状態解除（停止）処理（ステップＳ４７）を実施してメインルーチンの次の処理に移り、報知数≠０の場合は（Ｎｏ）、報知音声再生コマンド送信（報知音声再生開始）処理を実施してメインルーチンの次の処理に移る。
【０１７０】
上記プログラムＯＦＦ処理は、設定した報知音声信号番号の報知音声信号の再生が完了するまで、また、報知音声信号を２回以上繰返して出力するように報知数を２以上に設定している場合には報知音声信号の再生を報知数繰り返して完了するまで、報知音声出力を継続させる処理である。
【図面の簡単な説明】
【０１７１】
【図１】本発明の実施形態のプログラムタイマーの概略構成を示す図である。
【図２】同上のプログラムタイマーを示す斜視図である。
【図３】同上の設定器を示す正面図である。
【図４】同上の設定器の裏面を示す斜視図である。
【図５】同上の設定器をプログラムタイマー本体に取り付けた状態を示す要部の断面図である。
【図６】同上の設定器とプログラムタイマー本体との保持構造を示す部分破断図である。
【図７】同上の受信曜日確認中の表示部を示す図である。
【図８】（ａ）（ｂ）同上の時計調整モード時の表示部を示す図である
【図９】（ａ）〜（ｃ）同上の週間プログラム設定モード時の表示部を示す図である。
【図１０】同上の週間プログラムが設定されていない場合の表示部を示す図である。
【図１１】（ａ）〜（ｃ）同上の休日プログラム設定モード時の表示部を示す図である。
【図１２】（ａ）〜（ｅ）同上の報知音声再生時の表示部を示す図である。
【図１３】（ａ）〜（ｆ）同上の報知音声録音時の表示部を示す図である。
【図１４】（ａ）（ｂ）同上の報知音声編集時の表示部を示す図である。
【図１５】同上のプログラムタイマーを用いた制御の一構成例を示す図である。
【図１６】同上のプログラムタイマーの上カバーを外した状態を示す正面図である。
【図１７】同上のプログラムタイマー本体の具体回路構成を示す図である。
【図１８】同上の設定器の具体回路構成を示す図である。
【図１９】同上の電波受信ユニットの具体回路構成を示す図である。
【図２０】同上の制御のメインルーチンのフローチャートを示す図である。
【図２１】同上のプログラムＯＮ処理のフローチャートを示す図である。
【図２２】同上のプログラム時刻判定処理のフローチャートを示す図である。
【図２３】同上の報知音声出力ＯＮ処理のフローチャートを示す図である。
【図２４】同上のプログラムＯＦＦ処理のフローチャートを示す図である。
【符号の説明】
【０１７２】
１００  プログラムタイマー本体
１３９  報知音声出力手段
１３５，２４０  時計手段
２００  設定器
２３０ａ  プログラム設定手段
２３１  報知数設定手段
２３４  プログラム記憶手段
２３５  表示手段
２４１  報知音声信号記憶手段
２４２  報知音声制御手段
３００  電波受信ユニット
【図１】
2006208105.tif 000003
【図２】
2006208105.tif 000004
【図３】
2006208105.tif 000005
【図４】
2006208105.tif 000006
【図５】
2006208105.tif 000007
【図６】
2006208105.tif 000008
【図７】
2006208105.tif 000009
【図８】
2006208105.tif 000010
【図９】
2006208105.tif 000011
【図１０】
2006208105.tif 000012
【図１１】
2006208105.tif 000013
【図１２】
2006208105.tif 000014
【図１３】
2006208105.tif 000015
【図１４】
2006208105.tif 000016
【図１５】
2006208105.tif 000017
【図１６】
2006208105.tif 000018
【図１７】
2006208105.tif 000019
【図１８】
2006208105.tif 000020
【図１９】
2006208105.tif 000021
【図２０】
2006208105.tif 000022
【図２１】
2006208105.tif 000023
【図２２】
2006208105.tif 000024
【図２３】
2006208105.tif 000025
【図２４】
2006208105.tif 000026